(57)【要約】遮音性の耳栓を外耳道に挿入した状態で常に良好な聴取性能を発揮し得る音響装置を提供する。左右の外耳道Ｈ(R,L)に耳栓２１Ｒ、２１Ｌを装着した状態で、耳栓体２２の反挿入側端面２２ｂから突出した振動体２３の突端部に装着体１１の左右の接触部２４Ｒ、２４Ｌの接触面２４ａの一部を当接させた状態で使用する。耳栓体２２の反挿入側端面２２ｂに対して接触部２４Ｒ、２４Ｌの接触面２４ａが傾いた姿勢になっても、接触部２４Ｒ、２４Ｌの振動が高効率に耳栓２１Ｒ、２１Ｈ(L)に伝達される。
2009107578.tif 000002
【特許請求の範囲】
【請求項１】
次の特徴を有する音響装置。
特徴１：使用者の頭部又は耳部に着脱自在に装着される装着体を有している。
特徴２：使用者の一方の外耳道に装着される第１耳栓と、当該使用者の他方の外耳道に装着される第２耳栓と、を有する。
特徴３：第１耳栓と第２耳栓は、各々、耳栓体と、当該耳栓体に同心状に挿入されて保持された振動体と、を有する。振動体の一方の端部は、当該耳栓体の内部に埋没している。振動体の他方の端部は、当該耳栓体の外耳道から露出する側の端面から突出している。
特徴４：装着体は、使用者の一方の外耳道に装着されている第１耳栓の前記振動体に接触する第１接触部と、当該使用者の他方の外耳道に装着されている第２耳栓の前記振動体に接触する第２接触部と、を有する。
特徴５：装着体は、第１接触部を振動させる第1音響振動発生源と、第２接触部を振動させる第２音響振動発生源と、を備えている。
【請求項２】
次の特徴を更に有する請求項１の音響装置。
特徴６：前記振動体は、前記耳栓体内に一方の端部が挿入された棒状部を有し、当該棒状部の他方の端部が前記耳栓体の端面から突出している。
【請求項３】
次の特徴を更に有する請求項１の音響装置。
特徴６-2：前記棒状部の他方の端部の先端部分は拡径している。
【請求項４】
次の特徴を更に有する請求項２の音響装置。
特徴６-3：前記振動体は、前記耳栓体内に挿入されて完全に又はほぼ完全に埋設された棒状部を有し、当該棒状部の露出している側の端部に前記耳栓体の前記端面から突出した拡径部を有する。
【請求項５】
次の特徴を更に有する請求項３又は４の音響装置。
特徴６-4：前記拡径部は、半球状または球状に形成されている。
【請求項６】
次の特徴を更に有する請求項１〜５のいずれかの音響装置。
特徴７：第１接触部及び第２接触部の前記振動体と接触の接触面は平面又は凹面であり、当該接触面の一部に前記振動体が接触する。
【請求項７】
次の特徴を更に有する請求項６の音響装置。
特徴８：第１接触部及び第２接触部に、前記振動体と嵌合する凹部が形成されている。
【請求項８】
次の特徴を更に有する請求項６又は７の音響装置。
特徴９：第１耳栓は、第１接触部と嵌合する嵌合部を有している。第２耳栓は、第２接触部と嵌合する嵌合部を有している。
【請求項９】
次の特徴を更に有する請求項８の音響装置。
特徴９-2：第１接触部は、球帯状に膨出している。第１耳栓の嵌合部の内周部は、第１接触部を挿抜可能に受け入れてこれと密着し得るように球帯状に形成されている。第２接触部は、球帯状に膨出している。第２耳栓の嵌合部の内周部は、第２接触部を挿抜可能に受け入れてこれと密着し得るように球帯状に形成されている。
【請求項１０】
次の特徴を有する音響装置。
特徴１：使用者の頭部又は耳部に着脱自在に装着される装着体を有している。
特徴４-2：装着体は、使用者の一方の外耳道に装着されている耳栓に接触する第１接触
部と、当該使用者の他方の外耳道に装着されている耳栓に接触する第２接触部と、を有する。
特徴５：装着体は、第１接触部を振動させる第1音響振動発生源と、第２接触部を振動させる第２音響振動発生源と、を備えている。
特徴１０：第１接触部及び第２接触部は、前記耳栓よりも小径の突起部を有する。その突起部の突端部が前記耳栓の外耳道から露出している方の端面に接触する。
【請求項１１】
次の特徴を更に有する請求項１０の音響装置。
特徴１０-2：前記突起部は、棒状に突出している。
【請求項１２】
次の特徴を更に有する請求項１１の音響装置。
特徴１０-3：前記突起部は、その先端部分に拡径部を有する。
【請求項１３】
次の特徴を更に有する請求項１０〜１２のいずれかの音響装置。
特徴３：第１耳栓と第２耳栓は、各々、耳栓体と、当該耳栓体に同心状に挿入されて保持された振動体と、を有する。振動体の一方の端部は、当該耳栓体の内部に埋没している。振動体の他方の端部は、当該耳栓体の外耳道から露出する側の端面から突出している。
特徴１１：前記振動体は、前記耳栓体内に完全に又はほぼ完全に埋没している棒状部と、当該棒状部の露出している側の端部にフランジ状に形成された板状部とを有する。前記突端部は、当該板状部の板面に接する。
【請求項１４】
次の特徴を更に有する請求項１３の音響装置。
特徴１１-2：前記板面は、部分凹球面である。
【請求項１５】
次の特徴を有する音響装置。
特徴１：使用者の頭部又は耳部に着脱自在に装着される装着体を有している。
特徴１２：装着体は、使用者の一方の外耳道に装着されている耳栓に形成されている連結穴に挿抜可能に気密に挿入される棒状の突起部を有する第１接触部と、当該使用者の他方の外耳道に装着されている耳栓に形成されている連結穴に挿抜可能に気密に挿入される棒状の突起部を有する第２接触部と、を有する。
特徴５：装着体は、第１接触部を振動させる第1音響振動発生源と、第２接触部を振動させる第２音響振動発生源と、を備えている。
【請求項１６】
次の特徴を更に有する請求項１５の音響装置。
特徴１３：前記耳栓は、外耳道の内壁に密着してこれを閉塞するフランジ部と、当該フランジ部の中心部から外耳道の外側に延在するハンドル部と、を有する。
特徴１３-2：前記連結穴は、前記ハンドル部の端面に開口している。
【請求項１７】
次の特徴を更に有する請求項１６の音響装置。
特徴１３-3：前記フランジ部の形状は、傘状、円環状、又は螺旋状である。
【請求項１８】
次の特徴を更に有する請求項１５〜１７のいずれかの音響装置。
特徴１４：前記耳栓は、各接触部と嵌合する嵌合部を有している。
【請求項１９】
次の特徴を更に有する請求項１８の音響装置。
特徴１４-2：前記接触部は、球帯状に膨出している。前記嵌合部の内周部は、前記接触部を挿抜可能に受け入れてこれと密着し得るように球帯状に形成されている。
【請求項２０】
次の特徴を有する音響装置。
特徴１：使用者の頭部又は耳部に着脱自在に装着される装着体を有している。
特徴２：使用者の一方の外耳道に装着される第１耳栓と、当該使用者の他方の外耳道に装着される第２耳栓と、を有する。
特徴１５：第１耳栓と第２耳栓は、各々、耳栓体と、振動源ユニットと、を有する。振動源ユニットは、当該耳栓体の外耳道から露出する側の端部に取り付けられている。振動源ユニットは、磁性振動体を内蔵している。磁性振動体は、振動源ユニットの外部から作用する磁場の変動によって振動する。
特徴１６：装着体は、使用者の一方の外耳道に装着されている第１耳栓の振動源ユニットと接離自在に連結される第１接触部と、当該使用者の他方の外耳道に装着されている第２耳栓の振動源ユニットに接離自在に連結される第２接触部と、を有する。
特徴１７：第１接触部は、第１耳栓の振動源ユニット内の磁性振動体を振動させる第1磁場発生源を内蔵している。第１接触部は、第２耳栓の振動源ユニット内の磁性振動体を振動させる第２磁場発生源を内蔵している。
特徴１８：両接触部は、前記振動源ユニットと嵌合する嵌合部を有している。
【請求項２１】
次の特徴を更に有する請求項２０の音響装置。
特徴１９：前記振動源ユニットは、誘電体製のケーシングを有している。当該ケーシングは凸部を有している。
特徴１８-2：両接触部は、前記振動源ユニットの凸部と嵌合する凹部を有している。
特徴２０：前記磁性振動体は、当該ケーシングの凸部内に設けられている。
【請求項２２】
次の特徴を更に有する請求項２０の音響装置。
特徴１９-2：前記凸部は、円板形状の凸部である。
特徴２０-2：前記磁性振動体は、円板状の磁性振動体である。
【請求項２３】
次の特徴を更に有する請求項２１の音響装置。
特徴１９-3：前記凸部は、棒状の凸部である。
特徴２０-3：前記磁性振動体は、棒状の磁性振動体である。前記凸部と同軸状に設けられている。
特徴２１：両磁場発生源は、前記凹部を包囲するようにして設けられている。
【請求項２４】
次の特徴を更に有する請求項２１〜２３のいずれかの音響装置。
特徴２２：前記凸部の外周部と前記凹部の内周部が互いに係脱自在に係合する。
【請求項２５】
次の特徴を更に有する請求項２１〜２３のいずれかの音響装置。
特徴２３：両接触部は、前記振動源ユニットの露出部を収容するとともに前記耳栓体の端面に全周に亘って接触する。
【請求項２６】
次の特徴を更に有する請求項２１〜２５のいずれかの音響装置。
特徴２４：前記振動源ユニットは、前記耳栓体内に同軸状に挿入される音響管部を有する。
【請求項２７】
次の特徴を更に有する請求項２１〜２６のいずれかの音響装置。
特徴１５-2：前記耳栓体の中心部には、同心状に貫通孔が形成されている。
【請求項２８】
次の特徴を更に有する請求項２７の音響装置。
特徴１５-3：前記貫通孔は前記ケーシングの内部空間と連通している。
【請求項２９】
次の特徴を更に有する請求項１〜９のいずれか又は請求項２０〜２８のいずれかの音響装置。
特徴２５：前記耳栓体は、発泡材からなる。その発泡材は、形状復元性と柔軟性とを併
せ持っている。
【請求項３０】
次の特徴を更に有する請求項１０〜１２のいずれかの音響装置。
特徴２６：前記耳栓は、発泡材からなる。その発泡材は、形状復元性と柔軟性とを併せ持っている。
【請求項３１】
次の特徴を更に有する請求項２９の音響装置。
特徴２５-2：前記耳栓体は、円柱形又は外耳道に挿入される側の端部が細くなった略円柱形の耳栓体、又は外耳道の内壁に密着するフランジ部を有する耳栓体である。
【請求項３２】
次の特徴を更に有する請求項３０の音響装置。
特徴２６-2：前記耳栓は、円柱形又は外耳道に挿入される側の端部が細くなった略円柱形の耳栓であり、外耳道から露出する側に円形の端面を有する。
【請求項３３】
次の特徴を更に有する請求項１〜３２のいずれかの音響装置。
特徴２７：前記装着体は、その内部が外部から隔絶された水密構造になっている。
【請求項３４】
次の特徴を更に有する請求項１〜３３のいずれかの音響装置。
特徴２８：前記装着体は、第1接触部と第1音響振動発生源とを有する第１耳掛体と、第２接触部と第２音響振動発生源とを有する第２耳掛体と、からなる。第１耳掛体は使用者の一方の耳に掛けて装着される。第２耳掛体は使用者の他方の耳に掛けて装着される。
【請求項３５】
次の特徴を更に有する請求項１〜３３のいずれかの音響装置。
特徴２９：前記装着体は、装着時に使用者の頭部を跨ぐ円弧状又は略馬蹄形状の弾性体部を有する。前記装着体の装着時には、当該弾性体部の弾性力により、第１接触部と第２接触部とが互いに接近する向きに付勢される。
【発明の詳細な説明】
【技術分野】
【０００１】
本発明は、頭部又は耳部に装着して使用するタイプの音響装置に関する。より詳細には、遮音性の耳栓を外耳道に挿入した状態で使用する音響装置に関する。
【背景技術】
【０００２】
遮音性の耳栓を外耳道に挿入した状態で使用する音響装置として、耳栓の反挿入側端面に固体伝導スピーカ（振動発生源）を押し当てて使用する装置が知られている。（特許文献１乃至３）
【特許文献１】実開平６−２６３２８号公報
【特許文献２】特開平５−２０７５７９号公報
【特許文献３】実用新案登録第３０３５６６９号公報（第４頁）
【発明の開示】
【発明が解決しようとする課題】
【０００３】
上述した従来の音響装置は、耳栓の反挿入側端面と固体伝導スピーカの振動面同士を面接触させた状態で、固体伝導スピーカの振動を耳栓に伝達するように構成されている。このため、この種の従来の音響装置は、耳栓の反挿入側端面に対して固体伝導スピーカの振動面が傾いた姿勢になると、両面間の接触不良により振動の伝達効率が低下し、本来の音響性能を発揮し得なくなる。【０００４】
本発明が解決しようとする課題は、遮音性の耳栓を外耳道に挿入した状態で常に良好な聴取性能を発揮し得る音響装置を提供することにある。
【課題を解決するための手段】
【０００５】
本願発明の音響装置には、下記（１）〜（３３）の音響装置が含まれる。
（１）：下記の特徴１〜５を有する音響装置。
（２）：下記の特徴１〜６を有する音響装置。
（３）：下記の特徴６-2を更に有する（２）の音響装置。
（４）：下記の特徴６-3を更に有する（１）の音響装置。
（５）：下記の特徴６-4を更に有する（３）又は（４）の音響装置。
（６）：下記の特徴７を更に有する（１）〜（５）のいずれかの音響装置。
（７）：下記の特徴８を更に有する（６）の音響装置。
（８）：下記の特徴９を更に有する（６）又は（７）の音響装置。
（９）：下記の特徴９-2を更に有する（８）の音響装置。
（１０）：下記の特徴１、４-2、５、及び１０を有する音響装置。
（１１）：下記の特徴９-2を更に有する（１０）の音響装置。
（１２）：下記の特徴１０-3を更に有する（１１）の音響装置。
（１３）：下記の特徴３及び１１を更に有する（１０）〜（１２）のいずれかの音響装置。
（１４）：下記の特徴１１-2を更に有する（１３）の音響装置。
（１５）：下記の特徴１、１２、及び５を有する音響装置。
（１６）：下記の特徴１３及び１３-2を更に有する（１５）の音響装置。
（１７）：下記の特徴１３-3を更に有する（１６）の音響装置。
（１８）：下記の特徴１４を更に有する（１５）〜（１７）のいずれかの音響装置。
（１９）：下記の特徴１４-2を更に有する（１８）の音響装置。
（２０）：下記の特徴１、２、１５、１６、１７、及び１８を有する音響装置。
（２１）：下記の特徴１９、１８-2、及び２０を更に有する（２０）の音響装置。
（２２）：下記の特徴１９-2及び２０-2を更に有する（２０）の音響装置。
（２３）：下記の特徴１９-3、２０-3、及び２１を更に有する（２１）の音響装置。
（２４）：下記の特徴２２を更に有する（２１）〜（２３）のいずれかの音響装置。
（２５）：下記の特徴２３を更に有する（２１）〜（２３）のいずれかの音響装置。
（２６）：下記の特徴２４を更に有する（２１）〜（２５）のいずれかの音響装置。
（２７）：下記の特徴１５-2を更に有する（２１）〜（２６）のいずれかの音響装置。
（２８）：下記の特徴１５-3を更に有する（２７）の音響装置。
（２９）：下記の特徴２５を更に有する（１）〜（９）のいずれか又は（２０）〜（２８）のいずれかの音響装置。
（３０）：下記の特徴２６を更に有する請求項（１０）〜（１２）のいずれかの音響装置。
（３１）：下記の特徴２５-2を更に有する（２７）の音響装置。
（３２）：下記の特徴２６-2を更に有する（２８）の音響装置。
（３３）：下記の特徴２７を更に有する（１）〜（３０）のいずれかの音響装置。
（３４）：下記の特徴２８を更に有する（１）〜（３１）のいずれかの音響装置。
（３５）：下記の特徴２９を更に有する（１）〜（３１）のいずれかの音響装置。
（３６）：下記の特徴３０を更に有する（１）〜（３１）のいずれかの音響装置。【０００６】
特徴１：使用者の頭部又は耳部に着脱自在に装着される装着体を有している。（図１４、図５、図６、図７、図１０、図１２、図１３、図１５、図２２、図２８、図２９、図３４）
特徴２：使用者の一方の外耳道に装着される第１耳栓と、当該使用者の他方の外耳道に装着される第２耳栓と、を有する。（２、３、９、１０、１１、１６、１７、２０、２１、図３５、図３６、図３７、図３８、図３９、図４０、図４１、図４２、図４３、図４４、図４５）
特徴３：第１耳栓と第２耳栓は、各々、耳栓体と、当該耳栓体に同心状に挿入されて保持された振動体と、を有する。振動体の一方の端部（挿入側端部）は、当該耳栓体の内部に埋没している。振動体の他方の端部（反挿入側端部、露出側端部）は、当該耳栓体の外耳道から露出する側の端面（反挿入側端面、露出側端面）から突出している。（図２、図３、図９、図１０、図１１、図１６、図１７、図２０、図２１）
特徴４：装着体は、使用者の一方の外耳道に装着されている第１耳栓の前記振動体に接触する第１接触部と、当該使用者の他方の外耳道に装着されている第２耳栓の前記振動体に接触する第２接触部と、を有する。（図３、図６、図８、図１３、図１４、図１５、図１８、図１９）
特徴４-2：装着体は、使用者の一方の外耳道に装着されている耳栓に接触する第１接触部と、当該使用者の他方の外耳道に装着されている耳栓に接触する第２接触部と、を有する。（図２２、図２４、図２５、図２６）
特徴５：装着体は、第１接触部を振動させる第1音響振動発生源と、第２接触部を振動させる第２音響振動発生源と、を備えている。（図３、図１４、図１８，図１９、図２４、図３１、図３２、図３３）
特徴６：前記振動体は、前記耳栓体内に一方の端部が挿入された棒状部を有し、当該棒状部の他方の端部が前記耳栓体の端面から突出している。（図２、図３、図９、図１０、図１１、図１６、図１７、図２０、図２１）
特徴６-2：前記棒状部の他方の端部の先端部分は拡径している。（図２、図３、図８、図９（ｂ）〜（ｆ））
特徴６-3：前記振動体は、前記耳栓体内に挿入されて完全に又はほぼ完全に埋設された棒状部を有し、当該棒状部の露出している側の端部に前記耳栓体の前記端面から突出した拡径部を有する。（図２、図３、図１０、図１６、図１７、図２０、図２１）
特徴６-4：前記拡径部は、半球状または球状に形成されている。（図２、図３、図８、図９（ｂ）、図９（ｃ））
特徴７：第１接触部及び第２接触部の前記振動体と接触の接触面は平面又は凹面であり、当該接触面の一部に前記振動体が接触する。（図３、図６、図１３、図１４、図１５、図１８、図１９）
特徴８：第１接触部及び第２接触部に、前記振動体と嵌合する凹部が形成されている。（図８）
特徴９：第１耳栓は、第１接触部と嵌合する嵌合部を有している。第２耳栓は、第２接触部と嵌合する嵌合部を有している。（図１０、図１１、図１６、図１７、図２０、図２１、図３２）
特徴９-2：第１接触部は、球帯状に膨出している。第１耳栓の嵌合部の内周部は、第１接触部を挿抜可能に受け入れてこれと密着し得るように球帯状に形成されている。第２接触部は、球帯状に膨出している。第２耳栓の嵌合部の内周部は、第２接触部を挿抜可能に受け入れてこれと密着し得るように球帯状に形成されている。（図１５、図１７、図１８、図１９、図３２）
特徴１０：第１接触部及び第２接触部は、前記耳栓よりも小径の突起部を有する。その突起部の突端部が前記耳栓の外耳道から露出している方の端面に接触する。（図２２、図２４、図２５、図２６、図２８）
特徴１０-2：前記突起部は、棒状に突出している。（図２２、図２４、図２５、図２６、図２８）
特徴１０-3：前記突起部は、その先端部分に拡径部を有する。（図２６）
特徴１１：前記振動体は、前記耳栓体内に完全に又はほぼ完全に埋没している棒状部と、当該棒状部の露出している側の端部にフランジ状に形成された板状部とを有する。前記突端部は、当該板状部の板面に接する。（図２７）
特徴１１-2：前記板面は、部分凹球面である。（図２７（ｂ））
特徴１２：装着体は、使用者の一方の外耳道に装着されている耳栓に形成されている連結穴に挿抜可能に気密に挿入される棒状の突起部を有する第１接触部（連結部）と、当該使用者の他方の外耳道に装着されている耳栓に形成されている連結穴に挿抜可能に気密に挿入される棒状の突起部を有する第２接触部（連結部）と、を有する。（図２９、図３１、図３２、図３３）
特徴１３：前記耳栓は、外耳道の内壁に密着してこれを閉塞するフランジ部と、当該フランジ部の中心部から外耳道の外側に延在するハンドル部と、を有する。前記耳栓は、（シリコンゴム、ポリ塩化ビニル等からなる。（図３０、図３１、図３２（ｃ））
特徴１３-2：前記連結穴は、前記ハンドル部の端面に開口している。（図３０、図３１、図３２（ｃ））
特徴１３-3：前記フランジ部の形状は、傘状（パラボラ状）、円環状、又は螺旋状である。（図３０、図３１、図３２（ｃ））
特徴１４：前記耳栓は、各接触部（連結部）と嵌合する嵌合部を有している。（図３２（ｃ））
特徴１４-2：前記接触部（連結部）は、球帯状に膨出している。前記嵌合部の内周部は、前記接触部（連結部）を挿抜可能に受け入れてこれと密着し得るように球帯状に形成されている。（図３２、図３３）
特徴１５：第１耳栓と第２耳栓は、各々、耳栓体と、振動源ユニットと、を有する。振動源ユニットは、当該耳栓体の外耳道から露出する側の端部に取り付けられている。振動源ユニットは、磁性振動体を内蔵している。磁性振動体は、振動源ユニットの外部から作用する磁場の変動によって振動する。（図３４、図３５、図３６、図３７、図３８、図３９、図４０、図４１、図４２、図４３、図４５、図４６）
特徴１５-2：前記耳栓体の中心部には、同心状に貫通孔が形成されている。（図３５、図３６、図３７、図３８、図３９、図４１、図４２）
特徴１５-3：前記貫通孔は前記ケーシングの内部空間と連通している。（図３５、図３６、図３８、図４１、図４２）
特徴１６：装着体は、使用者の一方の外耳道に装着されている第１耳栓の振動源ユニッ
トと接離自在に連結される第１接触部と、当該使用者の他方の外耳道に装着されている第２耳栓の振動源ユニットに接離自在に連結される第２接触部と、を有する。（図３５、図３６、図３７、図３８、図３９、図４１、図４２、図４３、図４４、図４５）
特徴１７：第１接触部は、第１耳栓の振動源ユニット内の磁性振動体を振動させる第1磁場発生源を内蔵している。第１接触部は、第２耳栓の振動源ユニット内の磁性振動体を振動させる第２磁場発生源を内蔵している。（図３５（ｃ）、図３６、図３８、図４１、図４２、図４３（ｃ）、図４４（ｃ）、図４５）
特徴１８：両接触部は、前記振動源ユニットと嵌合する嵌合部を有している。（図３５（ｃ）、図３６、図３７（ｃ）、図３８、図３９（ｃ）、図４１、図４２、図４３（ｃ）、図４４（ｃ）、図４４（ｄ）、図４５）
特徴１８-2：両接触部は、前記振動源ユニットの凸部と嵌合する凹部を有している。（図３５（ｃ）、図３６、図３７（ｃ）、図３８、図３９（ｃ）、図４１、図４２、図４３（ｃ）、図４４（ｃ）、図４４（ｄ）、図４５）
特徴１９：前記振動源ユニットは、誘電体製のケーシングを有している。当該ケーシングは凸部を有している。（図３５（ａ）、図３５（ｂ）、図３６、図３７（ａ）、図３８、図３９（ａ）、図４０、図４１、図４２、図４３（ａ）、図４３（ｂ）、図４４（ａ）、図４４（ｂ）、図４５、図４６）
特徴１９-2：前記凸部は、円板形状の凸部である。（図３５（ａ）、図３５（ｂ）、図３６、図３７（ａ）、図３８、図３９（ａ）、図４０、図４１、図４２）
特徴１９-3：前記凸部は、棒状の凸部である。（図４３（ａ）、図４３（ｂ）、図４４（ａ）、図４４（ｂ）、図４５、図４６）
特徴２０：前記磁性振動体は、当該ケーシングの凸部内に設けられている。（図３５（ａ）、図３５（ｂ）、図３６、図３８、図４０、図４１、図４２、図４３（ａ）、図４３（ｂ）、図４５、図４６）
特徴２０-2：前記磁性振動体は、円板状の磁性振動体である。（図３５（ａ）、図３５（ｂ）、図３６、図３８、図４０、図４１、図４２）
特徴２０-3：前記磁性振動体は、棒状の磁性振動体である。前記凸部と同軸状に設けられている。（図４３（ａ）、図４３（ｂ）、図４５、図４６）
特徴２１：両磁場発生源は、前記凹部を包囲するようにして設けられている。（図４３（ｃ）、図４５）
特徴２２：前記凸部の外周部と前記凹部の内周部が互いに係脱自在に係合する。（図３８、図３９、図４０（ｂ）、図４０（ｆ）、図４１、図４２）
特徴２３：両接触部は、前記振動源ユニットの露出部を収容するとともに前記耳栓体の端面に全周に亘って接触する。（図４１、図４２）
特徴２４：前記振動源ユニットは、前記耳栓体内に同軸状に挿入される音響管部を有する。（図４０（ｅ）、図４０（ｆ）、図４２）
特徴２５：前記耳栓体は、発泡材からなる。その発泡材は、形状復元性と柔軟性とを併せ持っている。（図２、図３、図９、図２７、図３５、図３６、図３７、図３８、図３９、図４０、図４１、図４２、図４３、図４５）
特徴２５-2：前記耳栓体は、円柱形（図２、図３、図９、図２７、図３５、図３６、図３７、図３８、図３９、図４０（ａ）、図４０（ｂ）、図４０（ｃ）、図４０（ｅ）、図４０（ｆ）、図４１、図４２、図４３、図４５）又は外耳道に挿入される側の端部が細くなった略円柱形の耳栓体（図４０（ｄ））、又は、外耳道の内壁に密着してこれを閉塞するフランジ部を有する耳栓体（図１０、図１１、図１６、図１７）である。
特徴２６：前記耳栓は、発泡材からなる。その発泡材は、形状復元性と柔軟性とを併せ持っている。（図２３、図２４）
特徴２６-2：前記耳栓は、円柱形（図２３、図２４）又は外耳道に挿入される側の端部が細くなった略円柱形（図４０（ｄ）の耳栓体１１０を参照）の耳栓であり、外耳道から露出する側に円形の端面を有する。
特徴２７：前記装着体は、その内部が外部から隔絶された水密構造になっている。（図
３、図１４、図１８、図１９、図２４、図３１、図３２、図３３、図３５（ｃ）、図３６、図３８、図４１、図４２、図４３、図４５）
特徴２８：前記装着体は、第1接触部と第1音響振動発生源とを有する第１耳掛体と、第２接触部と第２音響振動発生源とを有する第２耳掛体と、からなる。第１耳掛体は使用者の一方の耳に掛けて装着される。第２耳掛体は使用者の他方の耳に掛けて装着される。（図５、図６、図７、図２８）
特徴２９：前記装着体は、装着時に使用者の頭部を跨ぐ円弧状又は略馬蹄形状の弾性体部を有する。前記装着体の装着時には、当該弾性体部の弾性力により、第１接触部と第２接触部とが互いに接近する向きに付勢される。（図１、図２２、図２９）
特徴３０：前記装着体は、装着時に使用者の後頭部を跨ぐ円弧状又は略馬蹄形状のヘッドバンド部と、当該ヘッドバンド部の左右両端から使用者の耳介（耳殻）の根本を跨ぐようにしてアーチ状に延びる耳掛部と、両耳掛部から使用者の耳穴に延びるアーム部と、を有している。前記接触部は、各アーム部の先端部に設けられている。（図４、図１０、図１２、図１３、図１４、図１５、図３４）
【発明の効果】
【０００７】
本発明の音響装置は、遮音性の耳栓を外耳道に挿入した状態で常に良好な聴取性能を発揮する。
【発明を実施するための最良の形態】
【０００８】
以下、本発明の実施形態について説明する。【０００９】
１．第1形態例
１−１−１．構成
図１、図２及び図３は本発明にかかる音響装置の形態例を示す図である。
図１、図２及び図３に示す音響装置１は、下記の特徴１〜５、６-2、６-3、６-4、７、２７、及び２９を有している。
特徴１：使用者の頭部（顎部を含む）に着脱自在に装着される装着体１１を有している。
特徴２：使用者の一方（右耳）の外耳道Ｈ(R)に装着される第１耳栓２１Ｒと、当該使用者の他方（左耳）の外耳道Ｈ(L)に装着される第２耳栓２１Ｌと、を有する。
特徴３：第１耳栓２１Ｒと第２耳栓２１Ｌは、各々、耳栓体２２と、当該耳栓体２２に同心状に挿入されて保持された振動体２３と、を有する。振動体２３の一方の端部（以下、挿入側端部とも記す。）２３ａは、耳栓体２２の内部に埋没している。振動体２３の他方の端部（以下、反挿入側端部とも記す。）２３ｂは、耳栓体２２の外耳道Ｈ(R,L)から露出する側の端面（以下、反挿入側端面とも記す。）２２ｂから突出している。
特徴４：装着体１１は、使用者の一方（右耳）の外耳道Ｈ(R)に装着されている第１耳栓２１Ｒの振動体２３に接触する第１接触部２４Ｒと、当該使用者の他方の外耳道Ｈ(L)に装着されている第２耳栓２１Ｌの振動体２３に接触する第２接触部２４Ｌと、を有する。
特徴５：装着体１１は、第１接触部２４Ｒを振動させる第1音響振動発生源２５Ｒと、第２接触部２４Ｌを振動させる第２音響振動発生源２５Ｌと、を備えている。
特徴６-3：振動体２３は、耳栓体２２内に挿入されて完全に又はほぼ完全に埋設された棒状部２３ｃを有し、棒状部２３ｃの反挿入側端部２３ｂに耳栓体２２の反挿入側端面２２ｂから突出した拡径部２６を有する。
特徴６-4：拡径部２６は、半球状に形成されている。
特徴７：第１接触部２４Ｒ及び第２接触部２４Ｌの振動体２３との接触面２４ａは平面である。接触面２４ａの一部に振動体２３が接触する。
特徴２５：耳栓体２２は、発泡材からなる。その発泡材は、形状復元性と柔軟性とを併せ持っている。
特徴２５-2：耳栓体２２は、円柱形の耳栓体である。
特徴２７：装着体１１は、その内部が外部から隔絶された水密構造になっている。
特徴２９：装着体１１は、装着時に使用者の頭部を跨ぐ円弧状又は略馬蹄形状の弾性体部２９を有する。装着体１１の装着時には、弾性体部２９の弾性力により、第１接触部２４Ｒと第２接触部２４Ｌとが互いに接近する向きに付勢される。【００１０】
１−１−２．構成の補足説明
図１に示すように、装着体１１は、使用者の頭部に左右に跨る円弧状の部分（アーチ部）１１ａと、当該円弧状の部分１１ａの左右両端から若干内向きに直線状に延びる部分（アーム部）１１Ｒ、１１Ｌと、を有する。両アーム部１１Ｒ、１１Ｌの先端部は互いに内向きにＬ字形に屈曲している。そして、右側のアーム部１１Ｒの当該屈曲した部分の先端部に第１接触部２４Ｒが、左側のアーム部１１Ｌの当該屈曲した部分の先端部に第２接触部２４Ｌが、それぞれ設けられている。装着体１１は、プラスチック成型品である。装着体１１は、使用者の後頭部又は顎部を跨いだ姿勢になるように装着することができる。【００１１】
図３に示すように、第１接触部２４Ｒ及び第２接触部２４Ｌは、アーム部１１Ｒと一体成型された円筒壁４１と、円筒壁４１の先端開口部に取り付けられた円板状の可動蓋４２と、円筒壁４１と可動蓋４２の間を水密状態にシールするシール体４３と、を有する。【００１２】
第１接触部２４Ｒ内及び第２接触部２４Ｌ内には、円筒壁４１と可動蓋４２とにより囲まれた振動源収容室が形成されている。円筒壁４１は、アーム部１１Ｒの先端部を拡径させて形成されている。円筒壁４１の開口端縁部には、円筒壁４１の厚さの半分程度縮径した嵌合部４４が形成されている。可動蓋４２は、円筒壁４１の外径と同径の端板部４５と、端板部４５を縁取るようにして片面側に形成された円筒状の嵌合部４６、とを有している。可動蓋４２の嵌合部４６が円筒壁４１の嵌合部４４の外側に遊嵌（若干遊びを持たせて嵌合）している。可動蓋４２の表面が振動体２３との接触面２４ａになっている。【００１３】
シール体４３は、筒状に形成されたゴム製の部材である。シール体４３の内面は、そのゴム弾性により、可動蓋４２及び円筒壁４１の外側に密着している。シール体４３の内側には環状突起４３ａが形成されている。環状突起４３ａは、可動蓋４２の嵌合部４６の端面と円筒壁４１の嵌合部４４の段部との間に介在している。シール体４３の一方の端縁部には可動蓋４２の端板部４５の前面周縁部に係合する環状の係合部４３ｂが形成されている。シール体４３の他方の端縁部には円筒壁４１の後端周縁部に係合する環状の係合部４３ｃが形成されている。可動蓋４２は、シール体４３の筒部内面が可動蓋４２と円筒壁４１の外面に密着し、且つ、両係合部４３ｂ、４３ｃが可動蓋４２と円筒壁４１の両端に係合することにより、円筒壁４１の先端部に弾力的に保持されている。可動蓋４２は、円筒壁４１に対して前後（端板部４５の厚さ方向）に移動可能であるが、その移動可能な範囲（最大変位量）はシール体４３の弾性力によって微少な範囲に制限されている。【００１４】
第1音響振動発生源２５Ｒ及び第２音響振動発生源２５Ｌは、磁石５１とコイル５２とを有する動電型電気音響変換器である。磁石５１は、保持部材５３を介して円筒壁４１の中心部に保持されている。コイル５２は、磁石５１の外側に隙間を持たせて同心状に設けられている。コイル５２は、可動蓋４２の端板部４５の内面に固定されている。コイル５２の巻線の両端には接続コード５５（図１）から延びる信号線５４が接続されている。接続コード５５の先端には、音声信号発生源となる外部機器のステレオ音声信号出力端子に接続されるプラグ５６が設けられている。【００１５】
第1音響振動発生源２５Ｒ及び第２音響振動発生源２５Ｌは、図示しない外部機器から信号線５４を介して送信されてきた音声信号（電気信号）を音響振動に変換する。すなわち、コイル５２に音声信号（電気信号）を入力し、コイル５２内の電流と磁石５１の磁場
との相互作用によってコイル５２を動かすことにより、コイル５２と共に可動蓋４２を振動させる。外部機器からの出力信号がステレオ音声信号の場合、第1音響振動発生源２５Ｒと第２音響振動発生源２５Ｌには、各々異なる音声信号（電気信号）が入力される。そして、第１接触部２４Ｒと第２接触部２４Ｌの両可動蓋４２が、各々異なった音響振動を発生する。【００１６】
耳栓体２２は、円柱状に形成された発泡ポリウレタン製の部材である。耳栓体２２の中心部には、その一方の端面（反挿入側端面）２２ｂから他方の端面（挿入側端面）２２ａの近傍に延びる円筒状の穴２２ｃが形成されている。そして、この穴２２ｃに振動体２３の棒状部２３ｃが密に挿入されている。棒状部２３ｃの挿入側端部２３ａは穴２２ｃの底に接している。振動体２３の拡径部２６は、先端側に凸面を有する半球体状に形成されている。振動体２３は、金属（真鍮、鉄、金、白金、等）製又はプラスチック製の部材である。振動体２３の耳栓２１の端面２２ｂからの突出長は２ｍｍ〜５ｍｍである。【００１７】
第１耳栓２１Ｒと第２耳栓２１Ｌは、耳栓体２２を指で摘んで細く潰した状態で、挿入側端面２２ａ側から外耳道Ｈ(R,L)内に挿入することにより、外耳道Ｈ(R,L)に装着される。耳栓体２２がその自己復元性により元の状態（自由状態）に戻ろうとする過程で、耳栓体２２の外周面が外耳道Ｈ(R,L)の内面に全周に亘って密着する。第１耳栓２１Ｒ及び第２耳栓２１Ｌを装着することにより、装着者の外耳道Ｈ(R,L)内を外部からの騒音を遮断した静かな環境に保つことができる。【００１８】
１−１−３．作用
この音響装置１は、第１耳栓２１Ｒを使用者の一方（右）の外耳道Ｈ(R)に、第２耳栓２１Ｌをその使用者のもう一方（左）の外耳道Ｈ(L)に、それぞれ装着した状態で、第１接触部２４Ｒの接触面２４ａを第１耳栓２１Ｒの振動体２３の突端に、第２接触部２４Ｌの接触面２４ａを第２耳栓２１Ｌの振動体２３に、それぞれ当接させて使用する。耳栓２１Ｒ、２１Ｌの振動体２３と装着体１１の接触部２４Ｒ、２４Ｌとが互いに非接触状態のときには、その耳栓２１Ｒ、２１Ｌには全く振動が発生せず、接触部２４Ｒ、２４Ｌの可動蓋４２が振動するのみである。【００１９】
接続コード５５のプラグ５６を外部機器のステレオ音声信号出力端子に接続し、外部機器から音声信号（電気信号）を出力させると、その音声信号（電気信号）が信号線５４を通して左右の接触部２４Ｒ、２４Ｌ内の音響振動発生源２５Ｒ、２５Ｌに入力される。両音響振動発生源２５Ｒ、２５Ｌは、入力された音声信号（電気信号）を音響振動に変換する。すなわち、音響振動発生源２５Ｒ、２５Ｌは、入力された音声信号（電気信号）に応じて左右の接触部２４Ｒ、２４Ｌの可動蓋４２を各々振動させる。右耳側の接触部２４Ｒの可動蓋４２が振動することにより、右側の外耳道Ｈ(R)に装着された耳栓２１Ｒの振動体２３に振動が伝達され、左耳側の接触部２４Ｌの可動蓋４２が振動することにより、左側の外耳道Ｈ(L)に装着された耳栓２１Ｌの振動体２３に振動が伝達される。各振動体２３の振動は、各耳栓２１Ｒ、２１Ｌの耳栓体２２に伝達される。耳栓体２２が振動することにより、耳栓体２２の挿入側端面２２ａから外耳道Ｈ(R,L)内に音（空気を媒体とする音）が放出され、音声となって鼓膜に伝達される。また、耳栓体２２の振動は、外耳道Ｈ(R,L)の皮膚等を媒体として鼓膜などの聴覚器官に伝達される。空気を媒体とする音と皮膚等を媒体とする音の割合（音量比）は、耳栓体２２及び振動体２３の材質、寸法などを適宜選定することにより、調整可能である。【００２０】
共に硬質材からなる振動体２３と可動蓋４２とを互いに当接させることによって可動蓋４２の振動を振動体２３に伝達するので、両者間の振動伝達効率は、軟質材と軟質材間あるいは軟質材と硬質材間における振動の伝達効率と比較して格段と高くなる。可動蓋４２は振動体２３に強く圧接している必要はなく、接触していればよい。両者間の接触圧は、
装着体１１のアーチ部１１ａの剛性（弾性）を適宜選定することにより、調整可能である。【００２１】
１−１−４．効果
この音響装置１は、左右の外耳道Ｈ(R,L)に耳栓２１Ｒ、２１Ｌを装着した状態で、耳栓体２２の反挿入側端面２２ｂから突出した振動体２３の突端部に装着体１１の左右の接触部２４Ｒ、２４Ｌの接触面２４ａの一部を当接させた状態で使用するように構成されているので、耳栓体２２の反挿入側端面２２ｂに対して接触部２４Ｒ、２４Ｌの接触面２４ａが傾いた姿勢になっても、従来のような接触不良（面接触不良）の状態にはならず、接触部２４Ｒ、２４Ｌの振動が高効率に耳栓２１Ｒ、２１Ｈ(L)に伝達される。したがって、この音響装置１は、常に良好な聴取性能を発揮し得る。【００２２】
この音響装置１は、耳栓２１Ｒ、２１Ｌにより使用者の外耳道Ｈ(R,L)内を外部からの騒音を遮断した静かな環境に保った状態で、耳栓２１Ｒ、２１Ｌの振動体２３に振動を与えて音声を聴取することができる。したがって、この音響装置１は、高騒音下においても極めて高い聴取性能を発揮し得る。【００２３】
この音響装置１は、外耳道Ｈ(R,L)を水密に閉塞し得る耳栓２１Ｒ、２１Ｌを備え、装着体１１が水密構造になっているので、外部装置との接続部を防水構造にしておけば、水に濡れる環境でも使用可能である。耳栓２１Ｒ、２１Ｌと装着体１１が互いに完全に別体として構成されているため、この音響装置１の使用中に装着体１１が頭部から外れた場合でも、それが原因で耳栓２１Ｒ、２１Ｌが外耳道Ｈ(R,L)から外れることはないので安全である。すなわち、外耳道Ｈ(R,L)に装着されている耳栓２１Ｒ、２１Ｌは、装着体１１が外れても、その本来の機能（遮音機能、防水機能）を発揮し続ける。したがって、この音響装置１は、水泳やサーフィンの際にも使用することができる。【００２４】
この音響装置１は、装着体１１の非装着時、すなわち、耳栓２１Ｒ、２１Ｌの振動体２３と装着体１１の接触部２４Ｒ、２４Ｌとが互いに非接触状態のときには、耳栓２１Ｒ、２１Ｌには全く振動が発生せず、接触部２４Ｒ、２４Ｌの可動蓋４２が振動するのみである。使用中に装着体１１が外れた状態でも、周囲の人に不快感を与えるほどの大音量の音は発生しない。したがって、この音響装置１は、旅客機や旅客列車等、公共の乗り物内での使用に適している。【００２５】
なお、上記の例では、接触面２４ａが平坦面の場合について説明したが、接触面２４ａを中心部が最も凹んだ形状の凹球面にしておけば、接触面２４ａの中心部に振動体２３が接触した状態にし易くできるので、振動伝達の安定性をより高め、常により良好な聴取性能が得られる。
また、上記の例では、円柱形の耳栓体２２を備えた耳栓２１Ｒ、２１Ｌについて説明したが、耳栓体２２の形状は弾丸形（挿入側端部が細くなった略円柱形）でもよい。
また、装着体１１の形態は、図１の形態に限定されない。図４に示すような、耳掛式のものでもよい。図４に示す装着体１１は、使用者の後頭部を跨ぐヘッドバンド部１１Ａと、ヘッドバンド部１１Ａの左右両端から耳を跨ぐようにしてアーチ状に延びる耳掛部（フック部）１１Ｂと、耳掛部１１Ｂの先端に前後方向に回動自在に連結されたアーム部１１Ｃと、を有している。接触部２４Ｒ、２４Ｌは、アーム部１１Ｃの先端部に設けられている。（特徴３０）【００２６】
１−２．その他の例
１−２−１．構成
図５〜図７は本発明の別の形態例を示す図である。
図５〜図７の形態例は、下記の特徴２８を有している。図５は正面図、図６は内側面図
、図７は外側面図である。
特徴２８：装着体１１は、第1接触部２４Ｒと第1音響振動発生源２５Ｒとを有する第１耳掛体１１-1と、第２接触部２４Ｌと第２音響振動発生源２５Ｌとを有する第２耳掛体１１-2と、からなる。第１耳掛体１１-1は使用者の一方の耳（右耳）に掛けて装着される。第２耳掛体１１-2は使用者の他方の耳（左耳）に掛けて装着される。
１−２−２．構成の補足説明
第１耳掛体１１-1と第２耳掛体１１-2のそれぞれに接続コード５５Ｒ、５５Ｌが接続されている。接触部２４Ｒ、２４Ｌに内蔵されている音響振動発生源２５Ｒ、２５Ｌの構成は、図３（ａ）、（ｂ）と同じである。一方の音響振動発生源２５Ｒのコイル５２の巻線の両端には一方の接続コード５５Ｒから延びる信号線５４が接続されている。他方の音響振動発生源２５Ｌのコイル５２の巻線の両端には他方の接続コード５５Ｌから延びる信号線５４が接続されている。両接続コード５５Ｒ、５５Ｌは途中で結束されて一本の接続コードになり、その先端には図１と同様にプラグ５６が設けられている。【００２７】
１−３．その他の例
１−３−１．構成
図８は本発明の別の形態例を示す図である。
図８の形態例は、下記の特徴８を有している。
特徴８：第１接触部２４Ｒ及び第２接触部２４Ｌに、振動体２３と嵌合する凹部２４ｂが形成されている。
１−３−２．構成の補足説明
凹部２４ｂは接触面２４ａの中心部を凹球面状に陥没させて形成されている。
１−３−３．作用
接触面２４ａの中心部に形成された凹部２４ｂに振動体２３が嵌合することにより、振動体２３が接触面２４ａの中心部に接触した状態に保たれる。振動体２３と接触面２４ａとの相対的な摺動が防止される。
１−３−４．効果
接触面２４ａの中心部に振動体２３が接触した状態に保たれ、振動体２３と接触面２４ａとの相対的な摺動が防止されるので、振動伝達の安定性をより高め、常により良好な聴取性能が得られる。
この例では、接触面２４ａの中心部に凹部２４ｂが形成されているが、中心部以外に凹部２４ｂを形成してもよい。また、接触面２４ａの複数箇所に凹部２４ｂを形成し、そのうちのいずれかの凹部２４ｂに振動体２３が嵌合するようにしてもよい。【００２８】
１−３．その他の例
１−３−１．構成
図９は本発明の別の形態例を示す図である。
図９（ａ）の形態例は、下記の特徴６を有している。
特徴６：振動体２３は、耳栓体２２内に挿入された棒状部２３ｃを有し、棒状部２３ｃが耳栓体２２の端面２２ｂから突出している。
図９（ｂ）〜（ｆ）の音響装置は、更に下記の特徴６-2を有している。
特徴６-2：棒状部２３ｃの反挿入側端部２３ｂは拡径している。【００２９】
１−３−２．構成の補足説明
図９の形態例に示す耳栓２１の振動体２３は、図２に示した耳栓２１の振動体２３よりも耳栓体２２から大きく突出している。耳栓２１の端面２２ｂからの振動体２３の突出長は、３ｍｍ〜１０ｍｍである。
図９（ａ）の振動体２３の反挿入側先端部の表面形状は、半球面状である。
図９（ｂ）の振動体２３の拡径部２６の形状は、半球体状である。
図９（ｃ）の振動体２３の拡径部２６の形状は、球体状である。
図９（ｄ）の振動体２３の拡径部２６の形状は、円柱状である。
図９（ｅ）の振動体２３の拡径部２６の形状は、円錐体状である。
図９（ｆ）の振動体２３の拡径部２６の形状は、円錐台状である。【００３０】
１−３−３．作用
振動体２３が耳栓体２２から大きく突出していることにより、耳栓体２２からより離れた位置で、装着体１１の接触部２４Ｒ、２４Ｌを振動体２３に接触させることができる。１−３−４．効果
図２の形態例の場合よりも、使用者の外耳道Ｈ(R,L)から接触部２４Ｒ、２４Ｌを離間させた状態（姿勢）で使用することができる。【００３１】
１−４．その他の例
１−４−１．構成
図１０〜図１４の形態例は、下記の特徴９、２５-2及び３０を有している。
特徴９：第１耳栓２１Ｒは、第１接触部２４Ｒと嵌合する嵌合部２７を有している。第２耳栓２１Ｌは、第２接触部２４Ｌと嵌合する嵌合部２７を有している。
特徴２５-2：耳栓体２２は、外耳道Ｈ(R,L)の内壁に密着してこれを閉塞するフランジ部７２を有する。
特徴３０：装着体１１は、装着時に使用者の後頭部を跨ぐ円弧状又は略馬蹄形状のヘッドバンド部１１Ａと、ヘッドバンド部１１Ａの左右両端から使用者の耳介の根本を跨ぐようにしてアーチ状に延びる耳掛部（フック部）１１Ｂと、両耳掛部１１Ｂから使用者の耳穴に延びるアーム部１１Ｃと、を有している。接触部２４Ｒ、２４Ｌは、アーム部１１Ｃの先端部に設けられている。【００３２】
１−４−２．構成の補足説明
アーム部１１Ｃは、耳掛部１１Ｂの先端に前後方向に回動自在に連結されている。
ヘッドバンド部１１Ａの中央部には無線通信部１５が設けられている。無線通信部１５内には、外部機器からの無線信号を受信する受信回路と、受信した信号を処理して音声信号（電気信号）を発生する信号発生回路と、これらに電力を供給する電池と、が設けられている。
接触部２４Ｒ、２４Ｌは、その側壁部から端板部（可動蓋４２の端板部４５に相当）に到るまで、その全体が装着体１１のアーム部１１Ｃと一体にプラスチックで形成されている。
音響振動発生源２５Ｒ、２５Ｌのコイル５２は、接触部２４Ｒ、２４Ｌの端板の内面に固定されている。
耳栓体２２は、シリコンゴム製の耳栓部材である。耳栓体２２には、段階的に径の異なる３つのフランジ部７２が設けられている。いわゆる３段フランジ構造になっている。
耳栓２１Ｒ、２１Ｌは、嵌合部２７（ハンドル部７３）を指で摘んで、外耳道Ｈ(R,L)内に挿入することにより、外耳道Ｈ(R,L)に装着される。外耳道Ｈ(R,L)内への挿入により、耳栓体２２のフランジ部７２が外耳道Ｈ(R,L)の内壁に倣って変形し、その外周面が外耳道Ｈ(R,L)の内面に全周に亘って密着する。耳栓２１Ｒ、２１Ｌを装着することにより、装着者の外耳道Ｈ(R,L)内を外部からの騒音を遮断した静かな環境に保つとともに、外耳道Ｈ(R,L)内への水の侵入を防止することができる。
嵌合部２７は柔軟に形成されているので、接触部２４Ｒ、２４Ｌとの嵌合は緩やかである。したがって、耳栓２１Ｒ、２１Ｌと装着体１１との連結状態は簡単に解除される。【００３３】
１−４−３．作用
この音響装置１は、外部機器から無線送信されてくる信号を、無線通信部１４内の受信回路が受信し、その信号を信号発生回路が処理することにより音声信号（電気信号）を発生する。この音声信号（電気信号）が左右の接触部２４Ｒ、２４Ｌ内の音響振動発生源２
５Ｒ、２５Ｌに入力される。両音響振動発生源２５Ｒ、２５Ｌは、入力された音声信号（電気信号）を音響振動に変換する。すなわち、音響振動発生源２５Ｒ、２５Ｌは、入力された音声信号（電気信号）に応じて左右の接触部２４Ｒ、２４Ｌの端板を各々振動させる。右耳側の接触部２４Ｒの端板が振動することにより、右側の外耳道Ｈ(R)に装着された耳栓２１Ｒに振動が伝達され、左耳側の接触部２４Ｌの端板が振動することにより、左側の外耳道Ｈ(L)に装着された耳栓２１Ｌに振動が伝達される。左右の耳栓２１Ｒ、２１Ｌが振動することにより、各耳栓２１Ｒ、２１Ｌの挿入側端面２２ａから外耳道Ｈ(R,L)内に音（空気を媒体とする音）が放出され、音声となって鼓膜に伝達される。また、耳栓２１Ｒ、２１Ｌの振動は、外耳道Ｈ(R,L)の皮膚等を媒体として鼓膜などの聴覚器官に伝達される。空気を媒体とする音と皮膚等を媒体とする音の割合（音量比）は、耳栓２１Ｒ、２１Ｌの材質及び寸法を適宜選定することにより、調整可能である。
耳栓２１Ｒ、２１Ｌと装着体１１の接触部２４Ｒ、２４Ｌとが互いに非接触状態のときには、その耳栓２１Ｒ、２１Ｌには全く振動が発生せず、接触部２４Ｒ、２４Ｌの端板が振動するのみである。【００３４】
１−４−４．効果
接触部２４Ｒ、２４Ｌが耳栓体２２と嵌合していることにより、接触部２４Ｒ、２４Ｌから耳栓２１Ｒ、２１Ｌへの振動伝達効率を高めることができる。
耳栓２１Ｒ、２１Ｌと装着体１１が互いに完全に別体として構成されており、耳栓２１Ｒ、２１Ｌと接触部２４Ｒ、２４Ｌとが互いに緩やかに連結されるため、この音響装置１の使用中に装着体１１が頭部から外れた場合でも、それが原因で耳栓２１Ｒ、２１Ｌが外耳道Ｈ(R,L)から外れることはないので安全である。すなわち、外耳道Ｈ(R,L)に装着されている耳栓２１Ｒ、２１Ｌは、装着体１１が外れても、その本来の機能（遮音機能、防水機能）を発揮し続ける。したがって、この音響装置１は、水泳やサーフィンの際にも使用することができる。【００３５】
１−５．その他の例
１−５−１．構成
図１５〜図２１の形態例は、下記の特徴９-2を有している。
特徴９-2：第１接触部２４Ｒは、球帯状に膨出している。第１耳栓２１Ｒの嵌合部２７は、第１接触部２４Ｒを挿抜可能に受け入れてこれと密着し得るように球帯状に形成されている。第２接触部２４Ｌは、球帯状に膨出している。第２耳栓２１Ｌの嵌合部２７は、第２接触部２４Ｌを挿抜可能に受け入れてこれと密着し得るように球帯状に形成されている。【００３６】
１−５−２．構成の補足説明
図１５の音響装置１は耳掛式である（特徴３０）。ヘッドバンド部１１Ａの中央部には、図１３と同様に無線通信部１５が設けられている。接触部２４Ｒ、２４Ｌは、その側壁部（球体状の部分）と端板部とを含めて、その全体が装着体１１のアーム部１１Ｃと一体にプラスチックで形成されている。
図１６に示す耳栓２１Ｒ、２１Ｌの耳栓体２２は、シリコンゴム製の耳栓部材である。耳栓体２２には、段階的に径の異なる３つのフランジ部７２が設けられている。いわゆる３段フランジ構造になっている。この耳栓２１Ｒ、２１Ｌは、嵌合部２７（ハンドル部７３）を指で摘んで、外耳道Ｈ(R,L)内に挿入することにより、外耳道Ｈ(R,L)に装着される。
図１８の接触部２４Ｒ、２４Ｌ内（振動源収容室）には、音響振動発生源２５Ｒ、２５Ｌとして、ムービングコイル型のスピーカが設けられている。すなわち、この例の音響振動発生源２５Ｒ、２５Ｌは、磁石５５と、磁石５５の周囲に同心状に設けられたムービングコイル５６と、ムービングコイル５６が固定された振動膜５７とを有している。磁石５５は、有底筒体形状の保持部材５７の底部中央に固定され、この保持部材５７を介して接
触部２４Ｒ、２４Ｌの側壁部に固定されている。振動膜５７は、保持部材５７の開口部を塞ぐようにして設けられている。
図１８（ａ）の接触部２４Ｒ、２４Ｌは、その端板部の肉厚が側壁部のそれよりも小さくなっている。端板部とムービングコイル５６は互いに非接触である。
図１８（ｂ）の接触部２４Ｒ、２４Ｌは、その端板部の内面中央部分の肉厚が大きくなっていて、その部分に振動膜５７の中央部が軽く接している。
図１９（ａ）、（ｂ）の接触部２４Ｒ、２４Ｌ内（振動源収容室）には、音響振動発生源２５Ｒ、２５Ｌとして、圧電タイプの音響振動発生素子８０が設けられている。音響振動発生素子８０は、円板形状の圧電素子８１と、圧電素子８１の両面に形成された電極（図示省略）とからなる。圧電素子８１は、鉛(Ｐｂ）、ジルコニウム（Ｚｒ）、チタン(Ｔｉ）と酸素の化合物によって形成された公知の圧電素子である。電極には信号線５４（図３参照）が接続されている。
図１９（ａ）においては、圧電素子８１の外側に円環状の保持部材８２が固定されている。そして、この保持部材８２を介して圧電素子８１が接触部２４Ｒ、２４Ｌの側壁部に保持されている。圧電素子８１の片側中心部には棒状の振動伝達体８３Ａが垂直に固定されている。振動伝達体８３Ａの先端（非固定端）は、接触部２４Ｒ、２４Ｌの端板部２４Ｂの内面に垂直に接している。
図１９（ｂ）においては、圧電素子６１が棒状の振動伝達体８３Ｂを介して接触部２４Ｒ、２４Ｌの端板部２４Ｂに保持されている。振動伝達体８３Ｂは、その一端が圧電素子８１の中心部に垂直に固定され、他端が接触部２４Ｒ、２４Ｌの端板部２４Ｂの内面中心部に垂直に固定されている。圧電素子８１の外側には、金属（たとえば、鉄、真鍮）製の円環状の錘８４が固定されている。
図２０及び図２１に示す耳栓２１Ｒ、２１Ｌの耳栓体２２は、円柱状に形成された発泡ポリウレタン製の耳栓体である。この耳栓２１Ｒ、２１Ｌは、耳栓体２２を指で摘んで細く潰した状態で、外耳道Ｈ(R,L)内に挿入することにより、外耳道Ｈ(R,L)に装着される。外耳道Ｈ(R,L)内に挿入された耳栓体２２はその自己復元性により元の状態（自由状態）に戻ろうとする。その過程で、耳栓体２２の外周面が外耳道Ｈ(R,L)の内面に全周に亘って密着する。
図２０に示す耳栓２１Ｒ、２１Ｌの嵌合部２７は、耳栓体２２の反挿入側端面に連設さえている。
図２１に示す耳栓２１Ｒ、２１Ｌの嵌合部２７は、その一部（深さ方向の約半分程度の部分）が耳栓体２２の本体（円柱状の部分）の端部を陥没させて形成されている。【００３７】
１−５−３．作用・効果
図１８においては、振動膜５７が振動することにより空気伝達音が発生し、その音響振動が接触部２４Ｒ、２４Ｌの端板部２４Ｂに伝達される。図１８（ａ）の例では、振動膜５７が端板部２４Ｂと非接触であるので、専ら空気伝達音が端板部２４Ｂに直接伝達される。図１８（ｂ）の例では、端板部２４Ｂの内面に振動膜５７が接しているので、空気伝達音に加えて振動膜５７の振動が端板部２４Ｂに直接伝達される。【００３８】
図１９に示す音響振動発生素子８０の圧電素子８１は、信号線５４を介してその両電極間に交流電圧を印加することにより、その厚さ方向に振動する。図１９（ａ）においては、圧電素子８１はその周縁部が接触部２４Ｒ、２４Ｌの側壁部に保持されているため、その中心部が最大振幅で振動する。この圧電素子８１の振動により、振動伝達体８３Ａが軸方向に振動（微少往復移動）し、接触部２４Ｒ、２４Ｌの端板部２４Ｂを叩く。その衝撃により、接触部２４Ｒ、２４Ｌの端板部２４Ｂに音響振動が伝達される。図１９（ｂ）においては、圧電素子８１はその中心部が接触部２４Ｒ、２４Ｌの端板部２４Ｂに保持されているため、その外周部が最大振幅で振動しようとする。圧電素子８１の外周部に錘８４が固定されているため、錘８４の慣性力が圧電素子８１を介して振動伝達体８３Ｂに作用する。その衝撃により、接触部２４Ｒ、２４Ｌの端板部２４Ｂに音響振動が伝達される。【００３９】
図１９の構成によれば、振動伝達体８３Ａが接触部２４Ｒ、２４Ｌの端板部２４Ｂを叩くことによる振動衝撃が、端板部２４Ｂから耳栓２１Ｒ、２１Ｌの振動体２３に音響振動として伝達され、それが耳栓体２２に伝達される。振動伝達体８３Ａによる衝撃力を大きくすることにより、耳栓体２２に強い振動衝撃を与えることができるので、気道音のみならず外耳道Ｈ(R,L)の内壁を構成する皮膚やその奥にある骨等を媒体として聴覚器官に伝達される音響振動（固体伝導音）の強度を効果的に増大させることができる。この構成は、難聴者用の音響装置に好適である。【００４０】
２．第２形態例
２−１−１．構成
図２２、図２３及び図２４は本発明にかかる音響装置の形態例を示す図である。
図２２、図２３及び図２４に示す音響装置２は、下記の特徴１〜５、６-2、６-3、６-4、７、２７、及び２９を有している。
特徴１：使用者の頭部又は耳部に着脱自在に装着される装着体１２を有している。
特徴４-2：装着体１２は、使用者の一方（右耳）の外耳道Ｈ(R)に装着されている耳栓３０に接触する第１接触部２４Ｒと、当該使用者の他方の外耳道Ｈ(L)に装着されている耳栓３０に接触する第２接触部２４Ｌと、を有する。
特徴５：装着体１２は、第１接触部２４Ｒを振動させる第1音響振動発生源２５Ｒと、第２接触部２４Ｌを振動させる第２音響振動発生源２５Ｌと、を備えている。
特徴１０：第１接触部２４Ｒ及び第２接触部２５Ｒは、耳栓３０よりも小径の突起部３１を有する。その突起部３１の突端部３１ａが耳栓３０の外耳道Ｈ(L，R)から露出している方の端面（以下、反挿入側端面とも記す。）３０ｂに接触する。
特徴１０-2：突起部３１は、棒状に突出している。
特徴２７：装着体１２は、その内部が外部から隔絶された水密構造になっている。
特徴２９：装着体１２は、装着時に使用者の頭部を跨ぐ円弧状又は略馬蹄形状の弾性体部２９を有する。装着体１１の装着時には、弾性体部２９の弾性力により、第１接触部２４Ｒと第２接触部２４Ｌとが互いに接近する向きに付勢される。【００４１】
２−１−２．構成の補足説明
図２２に示すように、装着体１２は、使用者の頭部に左右に跨る円弧状の部分（アーチ部）１２ａと、当該円弧状の部分１２ａの左右両端から若干内向きに直線状に延びる部分（アーム部）１２Ｒ、１２Ｌと、を有する。両アーム部１２Ｒ、１２Ｌの先端側は互いに内向きにＬ字形に屈曲している。そして、右側のアーム部１２Ｒの当該屈曲した部分の先端部に第１接触部２４Ｒが、左側のアーム部１２Ｌの当該屈曲した部分の先端部に第２接触部２４Ｌが、それぞれ設けられている。装着体１２は、プラスチック成型品である。装着体１２は、使用者の後頭部又は顎部を跨いだ姿勢になるように装着することができる。【００４２】
図２４に示すように、第１接触部２４Ｒ及び第２接触部２４Ｌは、アーム部１２Ｒと一体成型された円筒壁４１と、円筒壁４１の先端開口部に取り付けられた円板状の可動蓋４２と、円筒壁４１と可動蓋４２の間を水密状態にシールするシール体４３と、を有する。【００４３】
第１接触部２４Ｒ内及び第２接触部２４Ｌ内には、円筒壁４１と可動蓋４２とにより囲まれた振動源収容室が形成されている。円筒壁４１は、アーム部１２Ｒの先端部を拡径させて形成されている。円筒壁４１の開口端縁部には、円筒壁４１の厚さの半分程度縮径した嵌合部４４が形成されている。可動蓋４２は、円筒壁４１の外径と同径の端板部４５と、端板部４５を縁取るようにして片面側に形成された円筒状の嵌合部４６、とを有している。可動蓋４２の嵌合部４６が円筒壁４１の嵌合部４４の外側に遊嵌（若干遊びを持たせて嵌合）している。【００４４】
可動蓋４２は、外方に突き出た略円柱状の突起部３１を有している。突起部３１は、端板部４５の中央部に板面に対して垂直に突設されている。突起部３１の先端部３１ａは、円錐状に尖っている。【００４５】
シール体４３は、筒状に形成されたゴム製の部材である。シール体４３の内面は、そのゴム弾性により、可動蓋４２及び円筒壁４１の外側に密着している。シール体４３の内側には環状突起４３ａが形成されている。環状突起４３ａは、可動蓋４２の嵌合部４６の端面と円筒壁４１の嵌合部４４の段部との間に介在している。シール体４３の一方の端縁部には可動蓋４２の端板部４５の前面の周縁に係合する環状の係合部４３ｂが形成されている。シール体４３の他方の端縁部には円筒壁４１の後端部の周縁に係合する環状の係合部４３ｃが形成されている。可動蓋４２は、シール体４３の筒部内面が可動蓋４２と円筒壁４１の外面に密着し、且つ、両係合部４３ｂ、４３ｃが可動蓋４２と円筒壁４１の両端に係合することにより、円筒壁４１の先端部に弾力的に保持されている。可動蓋４２は、円筒壁４１に対して前後（端板部４５の厚さ方向）に移動可能であるが、その移動可能な範囲（最大変位量）はシール体４３の弾性力によって微少な範囲に制限されている。【００４６】
第1音響振動発生源２５Ｒ及び第２音響振動発生源２５Ｌは、磁石５１とコイル５２とを有する動電型電気音響変換器である。磁石５１は、保持部材５３を介して円筒壁４１の中心部に保持されている。コイル５２は、磁石５１の外側に隙間を持たせて同心状に設けられている。コイル５２は、可動蓋４２の端板部４５の内面に固定されている。コイル５２は、突起部３１と互いに同心状に設けられている。コイル５２の巻線の両端には接続コード５５（図２２）から延びる信号線５４が接続されている。接続コード５５の先端には、音声信号発生源となる外部機器のステレオ音声信号出力端子に接続されるプラグ５６が設けられている。【００４７】
第1音響振動発生源２５Ｒ及び第２音響振動発生源２５Ｌは、図示しない外部機器から信号線５４を介して送信されてきた音声信号（電気信号）を音響振動に変換する。すなわち、コイル５２に音声信号（電気信号）を入力し、コイル５２内の電流と磁石５１の磁場との相互作用によってコイル５２を動かすことにより、コイル５２と共に可動蓋４２を振動させる。外部機器からの出力信号がステレオ音声信号の場合、第1音響振動発生源２５Ｒと第２音響振動発生源２５Ｌには、各々異なる音声信号（電気信号）が入力される。そして、第１接触部２４Ｒと第２接触部２４Ｌの両可動蓋４２が、各々異なった音響振動で振動する。【００４８】
耳栓３０は、円柱状に形成された発泡ポリウレタン製の耳栓である。耳栓３０は、市販品である。耳栓３０として、エアロ社製のイアーウイスパーを挙げることができる。【００４９】
耳栓３０は、これを指で摘んで細く潰した状態で、外耳道Ｈ(R,L)内に挿入することにより、外耳道Ｈ(R,L)に装着される。外耳道Ｈ(R,L)内に挿入された耳栓３０はその自己復元性により元の状態（自由状態）に戻ろうとする。その過程で、耳栓３０の外周面が外耳道Ｈ(R,L)の内面に全周に亘って密着する。耳栓３０を装着することにより、装着者の外耳道Ｈ(R,L)内を外部からの騒音を遮断した静かな環境に保つことができる。また、この耳栓３０は、水泳時に使用できる程度の防水機能も有している。【００５０】
２−１−３．作用
この音響装置２は、耳栓３０を使用者の両方（左右）の外耳道Ｈ(R)、Ｈ(L)に装着した状態で、第１の接触部２４Ｒの突起部３１を一方の耳栓３０に、第２の接触部２４Ｌの突起部３１をもう一方の耳栓３０に、それぞれ当接させて使用する。弾力性を有する耳栓３０の反挿入側端面３０ｂに、耳栓３０よりも小径の硬い突起部３１が当接するため、突起部３１の先端が耳栓３０の反挿入側端面３０ｂに若干めり込んで係合した状態になる。耳
栓３０に対する突起部３１の接触圧は、装着体１２のアーチ部１２ａの剛性（弾性）を適宜選定することにより、調整可能である。【００５１】
接続コード５５のプラグ５６を外部機器のステレオ音声信号出力端子に接続し、外部機器から音声信号（電気信号）を出力させると、その音声信号（電気信号）が信号線５４を通して左右の接触部２４Ｒ、２４Ｌ内の音響振動発生源２５Ｒ、２５Ｌに入力される。両音響振動発生源２５Ｒ、２５Ｌは、入力された音声信号（電気信号）を音響振動に変換する。すなわち、音響振動発生源２５Ｒ、２５Ｌは、入力された音声信号（電気信号）に応じて左右の接触部２４Ｒ、２４Ｌの可動蓋４２を各々振動させる。右耳側の接触部２４Ｒの可動蓋４２が振動することにより、右側の外耳道Ｈ(R)に装着された耳栓３０に振動が伝達され、左耳側の接触部２４Ｌの可動蓋４２が振動することにより、左側の外耳道Ｈ(L)に装着された耳栓３０に振動が伝達される。耳栓３０が振動することにより、耳栓３０の挿入側端面３０ａから外耳道Ｈ(R,L)内に音（空気を媒体とする音）が放出され、音声となって鼓膜に伝達される。また、耳栓３０の振動は、外耳道Ｈ(R,L)の皮膚等を媒体として鼓膜などの聴覚器官に伝達される。空気を媒体とする音と皮膚等を媒体とする音の割合（音量比）は、耳栓３０の材質及び寸法を適宜選定することにより、調整可能である。
耳栓３０と装着体１１の接触部２４Ｒ、２４Ｌとが互いに非接触状態のときには、その耳栓３０には全く振動が発生せず、接触部２４Ｒ、２４Ｌの可動蓋４２とその突起部３１が振動するのみである。【００５２】
２−１−４．効果
この音響装置２は、左右の外耳道Ｈ(R,L)に耳栓３０をそれぞれ装着した状態で、耳栓３０の反挿入側端面３０ｂに装着体１２の左右の接触部２４Ｒ、２４Ｌの突起部３１を当接させた状態で使用するように構成されているので、耳栓３０の反挿入側端面３０ｂに対して接触部２４Ｒ、２４Ｌが傾いた姿勢になっても、従来のような接触不良（面接触不良）の状態にはならず、接触部２４Ｒ、２４Ｌの振動が高効率に耳栓３０に伝達される。したがって、この音響装置１は、常に良好な聴取性能を発揮し得る。【００５３】
この音響装置２は、耳栓３０により使用者の外耳道Ｈ(R,L)内を外部からの騒音を遮断した静かな環境に保った状態で、耳栓３０に振動を与えて音声を聴取することができる。したがって、この音響装置１は、高騒音下においても極めて高い聴取性能を発揮し得る。【００５４】
この音響装置２は、装着体１２が水密構造になっているので、外部装置との接続部を防水構造にしておけば、水に濡れる環境でも使用可能である。耳栓３０と装着体１２が互いに完全に別体として構成されているため、この音響装置２の使用中に装着体１２が頭部から外れた場合でも、それが原因で耳栓３０が外耳道Ｈ(R,L)から外れることはないので安全である。すなわち、外耳道Ｈ(R,L)に装着されている耳栓３０は、装着体１２が外れても、その本来の機能（遮音機能、防水機能）を発揮し続ける。したがって、この音響装置１は、水泳やサーフィンの際にも使用することができる。【００５５】
この音響装置２は、装着体１２の非装着時、すなわち、耳栓３０と装着体１２の接触部２４Ｒ、２４Ｌとが互いに非接触状態のときには、耳栓３０には全く振動が発生せず、接触部２４Ｒ、２４Ｌの可動蓋４２とその突起部３１が振動するのみである。使用中に装着体１２が外れた状態でも、周囲の人に不快感を与えるほどの大音量の音は発生しない。したがって、この音響装置２は、旅客機や旅客列車等、公共の乗り物内での使用に適している。【００５６】
なお、上記の例では、円柱形の耳栓３０を使用した場合について説明したが、耳栓３０の形状は弾丸形（挿入側端部が細くなった略円柱形）でもよい。
また、上記の例では、突起部３１の先端部３１ａが円錐状に尖っているが、突起部３１
の先端部３１ａの形状は凸球面状でもよい（図２５）。【００５７】
２−２．その他の例
２−２−１．構成
図２６は本発明にかかる音響装置の別の形態例を示す図である。
図２６の音響装置は、下記の特徴１０-3を有している。
特徴１０-3：突起部３１は、その先端部分に拡径部３３を有する。
２−２−３．構成の補足説明
図２６（ａ）の突起部３１の拡径部３３形状は、半球体状である。
図２６（ｂ）の突起部３１の拡径部３３形状は、球体状である。
図２６（ｃ）の突起部３１の拡径部３３形状は、円錐体状である。【００５８】
２−３．その他の例
２−３−１．構成
図２７は本発明の別の形態例を示す図である。
図２７（ａ）の形態例は、下記の特徴３及び１１を有している。
特徴３：耳栓３０は、耳栓体３４と、耳栓体３４に同心状に挿入されて保持された振動体３５と、を有する。振動体３５の一方の端部３５ａは、耳栓体３４の内部に埋没している。振動体３５の他方の端部３５ｂは、耳栓体３４の外耳道Ｈ(R,L)から露出する側の端面３４ｂから突出している。
特徴１１：振動体３５は、耳栓体３４内に完全に埋没している棒状部３６と、棒状部３６の露出している側の端部にフランジ状に形成された板状部３７とを有する。接触部２４Ｒ、２４Ｌの突起部３１は、板状部３７の板面３７ａに接する。
図２７（ｂ）の形態例は、更に下記の特徴１１-2を有している。
特徴１１-2：板状部３７の板面３７ａは、部分凹球面である。【００５９】
２−３−２．構成の補足説明
耳栓体３４は、円柱状に形成された発泡ポリウレタン製の部材である。耳栓体３４の中心部には、その一方の端面（反挿入側端面）３４ｂから他方の端面（挿入側端面）３４ａの近傍に延びる円筒状の穴３７ｃが形成されている。そして、この穴３７ｃに振動体３５の棒状部３６が密に挿入されている。棒状部３６の挿入側端部３６ａは穴３７ｃの底に接している。振動体３５は、金属（真鍮、鉄、金、白金、等）製又はプラスチック製の部材である。【００６０】
２−３−３．作用・効果
硬質材からなる振動体３５に硬質材からなる可動蓋４２の突起部３１を当接させることによって可動蓋４２の振動を振動体３５に伝達するので、両者間の振動伝達効率は、軟質材と軟質材間あるいは軟質材と硬質材間における振動の伝達効率と比較して格段と高くなる。可動蓋４２の突起部３１は振動体３５に強く圧接している必要はなく、接触していればよい。両者間の接触圧は、装着体１２のアーチ部１２ａの剛性（弾性）を適宜選定することにより、調整可能である。【００６１】
２−４．その他の例
２−４−１．構成
図２８は本発明の別の形態例を示す図である。
図２８の形態例は、下記の特徴２８を有している。
特徴２８：装着体１２は、第1接触部２４Ｒと第1音響振動発生源２５Ｒとを有する第１耳掛体１２-1と、第２接触部２４Ｌと第２音響振動発生源２５Ｌとを有する第２耳掛体１２-2と、からなる。第１耳掛体１２-1は使用者の一方の耳（右耳）に掛けて装着される。第２耳掛体１２-2は使用者の他方の耳（左耳）に掛けて装着される。【００６２】
１−２−２．構成の補足説明
第１耳掛体１２-1と第２耳掛体１２-2のそれぞれに接続コード５５Ｒ、５５Ｌが接続されている。接触部２４Ｒ、２４Ｌに内蔵されている音響振動発生源２５Ｒ、２５Ｌの構成は、図２４（ａ）、（ｂ）と同じである。一方の音響振動発生源２５Ｒのコイル５２の巻線の両端には一方の接続コード５５Ｒから延びる信号線５４が接続されている。他方の音響振動発生源２５Ｌのコイル５２の巻線の両端には他方の接続コード５５Ｌから延びる信号線５４が接続されている。両接続コード５５Ｒ、５５Ｌは途中で結束されて一本の接続コードになり、その先端には図２２と同様にプラグ５６が設けられている。【００６３】
３．第３形態例
３−１−１．構成
図２９、図３０及び図３１は本発明にかかる音響装置の形態例を示す図である。
図２９、図３０及び図３１に示す音響装置３は、下記の特徴１、５、１２、１３、６-3、６-4、７、２７、及び２９を有している。
特徴１：使用者の頭部又は耳部に着脱自在に装着される装着体１３を有している。
特徴１２：装着体１３は、使用者の一方（右耳）の外耳道Ｈ(R)に装着されている耳栓７０に形成されている連結穴７１に挿抜可能に気密に挿入（圧入）される棒状の突起部６１を有する第１接触部２４Ｒと、その使用者の他方の外耳道Ｈ(L)に装着されている耳栓７０に形成されている連結穴７１に挿抜可能に気密に挿入（圧入）される棒状の突起部６１を有する第２接触部２４Ｌと、を有する。
特徴５：装着体１３は、第１接触部２４Ｒを振動させる第1音響振動発生源２５Ｒと、第２接触部２４Ｌを振動させる第２音響振動発生源２５Ｌと、を備えている。
特徴１３：耳栓７０は、外耳道外耳道Ｈ(R,L)の内壁に密着してこれを閉塞するフランジ部７２と、フランジ部７２の中心部から外耳道Ｈ(R,L)の外側に延在するハンドル部７３と、を有する。
特徴１３-2：連結穴７１は、ハンドル部７３の端面７３ａに開口している。
特徴１３-3：フランジ部７２の形状は、傘状（パラボラ状）である。
特徴２７：装着体１３は、その内部が外部から隔絶された水密構造になっている。
特徴２９：装着体１３は、装着時に使用者の頭部を跨ぐ円弧状又は略馬蹄形状の弾性体部２９を有する。装着体１３の装着時には、弾性体部２９の弾性力により、第１接触部２４Ｒと第２接触部２４Ｌとが互いに接近する向きに付勢される。【００６４】
３−１−２．構成の補足説明
図２９に示すように、装着体１３は、使用者の頭部に左右に跨る円弧状の部分（アーチ部）１３ａと、当該円弧状の部分１３ａの左右両端から若干内向きに直線状に延びる部分（アーム部）１３Ｒ、１３Ｌと、を有する。両アーム部１３Ｒ、１３Ｌの先端側は互いに内向きにＬ字形に屈曲している。そして、右側のアーム部１３Ｒの当該屈曲した部分の先端部に第１接触部２４Ｒが、左側のアーム部１３Ｌの当該屈曲した部分の先端部に第２接触部２４Ｌが、それぞれ設けられている。装着体１３は、プラスチック成型品である。装着体１３は、使用者の後頭部又は顎部を跨いだ姿勢になるように装着することができる。アーチ部１３ａの中央部には無線通信部１５が設けられている。無線通信部１５内には、外部機器からの無線信号を受信する受信回路と、受信した信号を処理して音声信号（電気信号）を発生する信号発生回路と、これらに電力を供給する電池と、が設けられている。【００６５】
図３１に示すように、第１接触部２４Ｒ及び第２接触部２４Ｌは、アーム部１３Ｒと一体成型された円筒壁４１と、円筒壁４１の先端開口部に取り付けられた円板状の可動蓋４２と、円筒壁４１と可動蓋４２の間を水密状態にシールするシール体４３と、を有する。【００６６】
第１接触部２４Ｒ内及び第２接触部２４Ｌ内には、円筒壁４１と可動蓋４２とにより囲
まれた振動源収容室が形成されている。円筒壁４１は、アーム部１２Ｒの先端部を拡径させて形成されている。円筒壁４１の開口端縁部には、円筒壁４１の厚さの半分程度縮径した嵌合部４４が形成されている。可動蓋４２は、円筒壁４１の外径と同径の端板部４５と、端板部４５を縁取るようにして片面側に形成された円筒状の嵌合部４６、とを有している。可動蓋４２の嵌合部４６が円筒壁４１の嵌合部４４の外側に遊嵌（若干遊びを持たせて嵌合）している。【００６７】
可動蓋４２は、外方に突き出た略円柱状の突起部６１を有している。突起部６１は、端板部４５の中央部に板面に対して垂直に突設されている。突起部６１の先端部６１ａは、凸球面状になっている。【００６８】
シール体４３は、筒状に形成されたゴム製の部材である。シール体４３の内面は、そのゴム弾性により、可動蓋４２及び円筒壁４１の外側に密着している。シール体４３の内側には環状突起４３ａが形成されている。環状突起４３ａは、可動蓋４２の嵌合部４６の端面と円筒壁４１の嵌合部４４の段部との間に介在している。シール体４３の一方の端縁部には可動蓋４２の端板部４５の前面周縁部に係合する環状の係合部４３ｂが形成されている。シール体４３の他方の端縁部には円筒壁４１の後端部の周縁に係合する環状の係合部４３ｃが形成されている。可動蓋４２は、シール体４３の筒部内面が可動蓋４２と円筒壁４１の外面に密着し、且つ、両係合部４３ｂ、４３ｃが可動蓋４２と円筒壁４１の両端に係合することにより、円筒壁４１の先端部に弾力的に保持されている。可動蓋４２は、円筒壁４１に対して前後（端板部４５の厚さ方向）に移動可能であるが、その移動可能な範囲（最大変位量）はシール体４３の弾性力によって微少な範囲に制限されている。【００６９】
第1音響振動発生源２５Ｒ及び第２音響振動発生源２５Ｌは、磁石５１とコイル５２とを有する動電型電気音響変換器である。磁石５１は、保持部材５３を介して円筒壁４１の中心部に保持されている。コイル５２は、磁石５１の外側に隙間を持たせて同心状に設けられている。コイル５２は、可動蓋４２の端板部４５の内面に固定されている。コイル５２は、突起部６１と互いに同心状に設けられている。コイル５２の巻線の両端には、無線通信部１５内の信号発生回路から延びる信号線５４が接続されている。【００７０】
第1音響振動発生源２５Ｒ及び第２音響振動発生源２５Ｌは、無線通信部１５内の信号発生回路から信号線５４を介して送信されてくる音声信号（電気信号）を音響振動に変換する。すなわち、コイル５２に音声信号（電気信号）を入力し、コイル５２内の電流と磁石５１の磁場との相互作用によってコイル５２を動かすことにより、コイル５２と共に可動蓋４２を振動させる。外部機器からの信号がステレオ音声信号の場合、第1音響振動発生源２５Ｒと第２音響振動発生源２５Ｌには、各々異なる音声信号（電気信号）が入力される。そして、第１接触部２４Ｒと第２接触部２４Ｌの両可動蓋４２が、各々異なった音響振動で振動する。【００７１】
耳栓７０は、シリコンゴム製の耳栓である。耳栓７０には、段階的に径の異なる３つのフランジ部７２が設けられている。いわゆる３段フランジ構造の防水タイプの耳栓である。この種の耳栓７０は市販されている。この種の耳栓７０として、エアロ社製のスイム＆シャワー（商品名）を挙げることができる。【００７２】
耳栓７０は、ハンドル部７３を指で摘んで、外耳道Ｈ(R,L)内に挿入することにより、外耳道Ｈ(R,L)に装着される。外耳道Ｈ(R,L)内への挿入により、フランジ部７２が外耳道Ｈ(R,L)の内壁に倣って変形し、その外周面が外耳道Ｈ(R,L)の内面に全周に亘って密着する。耳栓７０を装着することにより、装着者の外耳道Ｈ(R,L)内を外部からの騒音を遮断した静かな環境に保つとともに、外耳道Ｈ(R,L)内への水の侵入を防止することができる。【００７３】
３−１−３．作用
この音響装置３は、耳栓７０を使用者の両方（左右）の外耳道Ｈ(R)、Ｈ(L)に装着した状態で、第１の接触部２４Ｒの突起部６１を一方の耳栓７０の連結穴７１に、第２の接触部２４Ｌの突起部６１をもう一方の耳栓７０の連結穴７１に、それぞれ挿入して使用する。【００７４】
この音響装置３は、外部機器から無線送信されてくる信号を、無線通信部１５内の受信回路が受信し、その信号を信号発生回路が処理することにより音声信号（電気信号）を発生する。この音声信号（電気信号）が信号線５４を通して左右の接触部２４Ｒ、２４Ｌ内の音響振動発生源２５Ｒ、２５Ｌに入力される。両音響振動発生源２５Ｒ、２５Ｌは、入力された音声信号（電気信号）を音響振動に変換する。すなわち、音響振動発生源２５Ｒ、２５Ｌは、入力された音声信号（電気信号）に応じて左右の接触部２４Ｒ、２４Ｌの可動蓋４２を各々振動させる。右耳側の接触部２４Ｒの可動蓋４２が振動することにより、右側の外耳道Ｈ(R)に装着された耳栓７０に振動が伝達され、左耳側の接触部２４Ｌの可動蓋４２が振動することにより、左側の外耳道Ｈ(L)に装着された耳栓７０に振動が伝達される。耳栓７０が振動することにより、耳栓７０の挿入側端面７０ａから外耳道Ｈ(R,L)内に音（空気を媒体とする音）が放出され、音声となって鼓膜に伝達される。また、耳栓７０の振動は、外耳道Ｈ(R,L)の皮膚等を媒体として鼓膜などの聴覚器官に伝達される。空気を媒体とする音と皮膚等を媒体とする音の割合（音量比）は、耳栓７０の材質及び寸法を適宜選定することにより、調整可能である。
耳栓７０と装着体１３の接触部２４Ｒ、２４Ｌとが互いに非接触状態のときには、その耳栓７０には全く振動が発生せず、接触部２４Ｒ、２４Ｌの可動蓋４２とその突起部６１が振動するのみである。【００７５】
３−１−４．効果
この音響装置３は、耳栓７０のハンドル部７３に形成された連結穴７１に接触部２４Ｒ、２４Ｌの突起部６１を挿入（圧入）した状態で使用するように構成されているので、耳栓７０の遮音性能及び防水性能を担うフランジ部７２の端面７２ｂに対して接触部２４Ｒ、２４Ｌが傾いた姿勢になっても、従来のような接触不良（面接触不良）の状態にはならず、接触部２４Ｒ、２４Ｌの振動が高効率に耳栓７０に伝達される。したがって、この音響装置３は、常に良好な聴取性能を発揮し得る。【００７６】
この音響装置３は、耳栓７０により使用者の外耳道Ｈ(R,L)内を外部からの騒音を遮断した静かな環境に保った状態で、耳栓７０に振動を与えて音声を聴取することができる。したがって、この音響装置３は、高騒音下においても極めて高い聴取性能を発揮し得る。【００７７】
この音響装置３は、無線受信機能を備えた装着体１３全体が水密構造になっているので、水に濡れる環境での使用に適している。耳栓７０として、防水性が保証された市販の耳栓を使用できるので安全である。【００７８】
上記の例では、音響装置３は、耳栓７０を使用者の両外耳道Ｈ(R)、Ｈ(L)に装着した後、両接触部２４Ｒ、２４Ｌの突起部６１をそれぞれの耳栓７０の連結穴７１に挿入して使用する、と説明したが、予め耳栓７０を両接触部２４Ｒ、２４Ｌに取り付けた状態で使用するようにしてもよい。
上記の例では、耳栓７０として市販の耳栓を使用しているが、この音響装置３の使用により適した専用の耳栓を使用してもよいことは無論である。【００７９】
３−２．その他の例
３−２−１．構成
図３２は本発明にかかる音響装置の別の形態例を示す図である。
図３２の形態例は、下記の特徴１４及び１４-2を有している。
特徴１４：耳栓７０は、各接触部２４Ｒ、２４Ｌと嵌合する嵌合部７４を有している。
特徴１４-2：接触部２４Ｒ、２４Ｌは、球帯状に膨出している。嵌合部７４は、接触部２４Ｒ、２４Ｌを挿抜可能に受け入れてこれと密着し得るように球帯状に形成されている。【００８０】
３−２−２．構成の補足説明
図３２に示す接触部２４Ｒ、２４Ｌは、その側壁部（球帯状に膨出した部分）から端板部２４Ｂ（可動蓋４２の端板部４５に相当）に到るまで、その全体が装着体１３のアーム部１３Ｒ、１３Ｌと一体にプラスチックで形成されている。接触部２４Ｒ、２４Ｌ内（振動源収容室）には、音響振動発生源２５Ｒ、２５Ｌとして、ムービングコイル型のスピーカが設けられている。すなわち、この例の音響振動発生源２５Ｒ、２５Ｌは、磁石５５と、磁石５５の周囲に同心状に設けられたムービングコイル５６と、ムービングコイル５６が固定された振動膜５７とを有している。磁石５５は、有底筒体形状の保持部材５７の底部中央に固定され、この保持部材５７を介して接触部２４Ｒ、２４Ｌの側壁部に固定されている。振動膜５７は、保持部材５７の開口部を塞ぐようにして設けられている。
図３２（ａ）の接触部２４Ｒ、２４Ｌの端板部の中央には突起部６２が設けられている。この突起部６２の内部は空洞になっており、振動源収容室と連通している。
図３２（ｂ）の接触部２４Ｒ、２４Ｌの端板部２４Ｂの中央には突起部６３が設けられている。この突起部６３は充実構造になっている。一方、接触部２４Ｒ、２４Ｌの端板部２４Ｂの内面中央部分の肉厚が大きくなっていて、その部分にムービングコイル５６の中央部が軽く接している。
図３２（ｃ）は、耳栓７０と接触部２４Ｒ、２４Ｌとが互いに連結している状態を示している。図３２（ｃ）に示すように、連結状態においては、接触部２４Ｒ、２４Ｌの側壁部が耳栓７０の嵌合部７４に緩やかに嵌合するとともに、突起部６２、６３が連結穴７５に挿入されている。嵌合部７４は柔軟である。突起部６２、６３の連結穴７５との嵌合は緩やかである。したがって、この連結状態は、簡単に解除される。【００８１】
３−２−３．作用
耳栓７０と装着体１３が互いに完全に別体として構成されており、耳栓７０と接触部２４Ｒ、２４Ｌとが互いに緩やかに連結されているため、この音響装置３の使用中に装着体１３が頭部から外れた場合でも、それが原因で耳栓７０が外耳道Ｈ(R,L)から外れることはないので安全である。すなわち、外耳道Ｈ(R,L)に装着されている耳栓７０は、装着体１３が外れても、その本来の機能（遮音機能、防水機能）を発揮し続ける。したがって、この音響装置３は、水泳やサーフィンの際にも使用することができる。【００８２】
３−３．その他の例
３−３−１．構成
図３３は本発明にかかる音響装置の別の形態例を示す図である。
図３３の形態例は、下記の特徴１４及び１４-2を有している。
特徴１４：耳栓７０は、各接触部２４Ｒ、２４Ｌと嵌合する嵌合部７４を有している。
特徴１４-2：接触部２４Ｒ、２４Ｌは、球帯状に膨出している。嵌合部７４は、接触部２４Ｒ、２４Ｌを挿抜可能に受け入れてこれと密着し得るように球帯状に形成されている。【００８３】
３−３−２．構成の補足説明
図３３に示す接触部２４Ｒ、２４Ｌは、その側壁部（球帯状に膨出した部分）から端板部２４Ｂ（可動蓋４２の端板部４５に相当）に到るまで、その全体が装着体１３のアーム部１３Ｒ、１３Ｌと一体にプラスチックで形成されている。図３３（ａ）は接触部２４Ｒ
、２４Ｌの内部構造を示す断面図である。図３３（ａ）に示すように、接触部２４Ｒ、２４Ｌ内（振動源収容室）には、音響振動発生源２５Ｒ、２５Ｌとして、磁石５５とムービングコイル５６とを用いた打撃式の振動発生源が設けられている。すなわち、この例の音響振動発生源２５Ｒ、２５Ｌは、円柱状の磁石５５と、磁石５５の周囲に同心状に設けられたムービングコイル５６と、ムービングコイル５６が固定された円筒状のハンマーチューブ５９と、ハンマーチューブ５９を軸方向（図示の状態における左右方向）に移動（振動）可能に支持している複数（この例では二枚）の支持膜５９ｓ1、５９ｓ2と、を有している。磁石５５は、有底筒体形状の保持部材５８の底部中央に固定され、この保持部材５８を介して接触部２４Ｒ、２４Ｌの側壁部に保持されている。ハンマーチューブ５９は、磁石５５を包囲するようにして磁石５５に対し略同軸状に設けられている。ハンマーチューブ５９は、硬質の非磁性体からなる。ハンマーチューブ５９の内径寸法は、磁石５５の外径寸法よりも大きく選定されている。ハンマーチューブ５９の先端は接触部２４Ｒ、２４Ｌの端板部２４Ｂの内面に軽く接している。支持膜５９ｓは、その中心部に円形の孔を有する円形の可撓膜である。一方の支持膜５９ｓ1は、その外周部が保持部材５８の底部近傍の内壁に全周に亘って密に固定されることにより保持部材５８内に張設され、その内周部がハンマーチューブ５９の一方（保持部材５８の底部側）の端部の外面に全周に亘って密に固定されている。もう一方の支持膜５９ｓ2は、その外周部が保持部材５８の開口部の内壁に全周に亘って密に固定されることにより保持部材５８内に張設され、その内周部がハンマーチューブ５９のもう一方（先端側）の端部の外面に全周に亘って密に固定されている。すなわち、ハンマーチューブ５９は、２枚の支持膜５９ｓ1、５９ｓ2によってその両端部が支えられることにより、保持部材５８の中心部に軸方向に移動可能に保持されている。
接触部２４Ｒ、２４Ｌの端板部の中央には充実構造の突起部６３が設けられている。すなわち、ハンマーチューブ５９は、この突起部６３に対して同心状に保持された状態で、接触部２４Ｒ、２４Ｌの端板部２４Ｂの内面に軽く接している。【００８４】
３−３−３．作用
音響振動発生源２５Ｒ、２５Ｌは、入力された音声信号（電気信号）に応じてハンマーチューブ５９を軸方向に振動させる。すなわち、軸方向に往復移動（振動）可能に保持されたハンマーチューブ５９にムービングコイル５６が固定されているため、ムービングコイル５６に音声信号（電気信号）が入力されると、ムービングコイル５６とハンマーチューブ５９が一体となって振動する。この振動するハンマーチューブ５９によって、接触部２４Ｒ、２４Ｌの端板部２４Ｂが叩かれる。その衝撃により、接触部２４Ｒ、２４Ｌの端板部２４Ｂに音響振動が発生する。【００８５】
４．第４形態例
４−１−１．構成
図３４〜図３７は本発明にかかる音響装置の形態例を示す図である。
図３４〜図３７に示す音響装置４は、下記の特徴１、２、１５、１６、１７、１８、１８-2、１９、１９-2、２０、２０-2、２５、及び２７を有している。
特徴１：使用者の頭部に着脱自在に装着される装着体１４を有している。
特徴２：使用者の一方の外耳道Ｈ(R)に装着される第１耳栓９０Ｒと、当該使用者の他方の外耳道Ｈ(L)に装着される第２耳栓９０Ｌと、を有する。
特徴１５：第１耳栓９０Ｒと第２耳栓９０Ｌは、各々、耳栓体１１０と、振動源ユニット１２０と、を有する。振動源ユニット１２０は、耳栓体１１０の外耳道Ｈ(R,L)から露出する側の端部に取り付けられている。振動源ユニット１２０は、磁性振動体１２１を内蔵している。磁性振動体１２１は、振動源ユニット１２０の外部から作用する磁場の変動によって振動する。
特徴１５-2：耳栓体１１０の中心部には、同心状に貫通孔１１１が形成されている。
特徴１５-3：貫通孔１１１はケーシング１２３の内部空間と連通している。（図３５、
図３６、図３８、図４１、図４２）
特徴１６：装着体１４は、使用者の一方の外耳道Ｈ(R)に装着されている第１耳栓９０Ｒの振動源ユニット１２０と接離自在に連結される第１接触部２４Ｒと、当該使用者の他方の外耳道Ｈ(L)に装着されている第２耳栓９０Ｌの振動源ユニット１２０に接離自在に連結される第２接触部２４Ｒと、を有する。
特徴１７：第１接触部２４Ｒは、第１耳栓９０Ｒの振動源ユニット１２０内の磁性振動体１２１を振動させる第1磁場発生源１３１Ｒを内蔵している。第２接触部２４Ｒは、第２耳栓９０Ｌの振動源ユニット１２０内の磁性振動体１２１を振動させる第２磁場発生源１３１Ｌを内蔵している。
特徴１８：両接触部２４Ｒ、２４Ｌは、振動源ユニット１２０と嵌合する嵌合部２４ｃを有している。
特徴１８-2：両接触部２４Ｒ、２４Ｌは、振動源ユニット１２０の凸部１２２と嵌合する凹部２４ｃ1を有している。
特徴１９：振動源ユニット１２０は、誘電体製のケーシング１２３を有している。ケーシングは凸部１２２を有している。
特徴１９-2：凸部１２２は、円板形状の凸部である。
特徴２０：磁性振動体１２１は、ケーシング１２３の凸部１２２内に設けられている。
特徴２０-2：磁性振動体１２１は、円板状の磁性振動体である。
特徴２５：耳栓体１１０は、発泡材からなる。その発泡材は、形状復元性と柔軟性とを併せ持っている。
特徴２７：装着体１４は、その内部が外部から隔絶された水密構造になっている。【００８６】
４−１−２．構成の補足説明
装着体１４は、使用者の後頭部を跨ぐヘッドバンド部１４Ａと、ヘッドバンド部１４Ａの左右両端から耳を跨ぐようにしてアーチ状に延びる耳掛部（フック部）１４Ｂと、耳掛部１４Ｂの先端に前後方向に回動自在に連結されたアーム部１４Ｃと、を有している。接触部２４Ｒ、２４Ｌは、アーム部１４Ｃの先端部に設けられている。
ヘッドバンド部１４Ａの中央部には無線通信部１５が設けられている。無線通信部１５内には、外部機器からの無線信号を受信する受信回路と、受信した信号を処理して音声信号（電気信号）を発生する信号発生回路と、これらに電力を供給する電池と、が設けられている
耳栓体１１０の中心部には、円筒状の貫通孔１１１が形成されている。
振動源ユニット１２０のケーシング１２３は、耳栓体１１０の反挿入側端面に固着されている。ケーシング１２３は、耳栓体１１０の外径と同径の円板状の固着部１２３ａを有し、この固着部１２３ａが耳栓体１１０の反挿入側端面に接着により固定されている。
凸部１２２は、固着部１２３ａと同心状に一体成型されている。凸部１２２の外径寸法は、固着部１２３ａの外径寸法よりも小さく選定されている。凸部１２２は中空構造になっている。固着部１２３ａの中心部には貫通孔１２３ｂが形成されており、この貫通孔１２３ｂを介して耳栓体１１０の貫通孔１１１と凸部１２２の中空部（ケーシング１２３の内部空間）１２２ａとが互いに連通している。
磁性振動体１２１は、凸部１２２の中空部１２２ａに設けられている。磁性振動体１２１は、円環状の保持体１２４を介して、磁性振動体１２１が凸部１２２の側壁に保持されている。
両接触部２４Ｒ、２４Ｌの凹部２４ｃ1の内径寸法は、振動源ユニット１２０の凸部１２２の外径寸法よりも若干大きく選定されている。また、凹部２４ｃ1の深さは凸部１２２の高さよりも小さく選定されており、凹部２４ｃ1と凸部１２２とを互いに嵌合させたときに、凹部２４ｃ1の底面と凸部１２２の端面とが互いに接するようになっている。
第1磁場発生源１３１Ｒ及び第２磁場発生源１３１Ｌは、磁石１３２とコイル１３３とを有している。磁石１３２は、各接触部２４Ｒ、２４Ｌの中心部に同心的に設けられている。磁石１３２の先端面は接触部２４Ｒ、２４Ｌの端板部の内面に固定されている。コイ
ル１３３は、磁石１３２の外側に隙間を持たせて同心状に設けられている。コイル１３３は、接触部２４Ｒ、２４Ｌの端板部の内面に固定されている。コイル１３３の巻線の両端には、無線通信部１５内の信号発生回路から延びる信号線が接続されている。【００８７】
第1磁場発生源１３１Ｒ及び第２磁場発生源１３１Ｌは、無線通信部１５内の信号発生回路から信号線を介して送信されてくる音声信号（電気信号）を磁場の変動（振動）に変換する。すなわち、コイル１３３に音声信号（電気信号）を入力し、コイル１３３内の電流と磁石１３２の磁場との相互作用によって、変動する磁場を発生させる。【００８８】
４−１−３．作用
この音響装置４は、第１耳栓９０Ｒを使用者の一方（右）の外耳道Ｈ(R)に、第２耳栓９０Ｌをその使用者のもう一方（左）の外耳道Ｈ(L)に、それぞれ装着した状態で、第１接触部２４Ｒの凹部２４ｃ1を第１耳栓９０Ｒの振動源ユニット１２０の凸部１２２に、第２接触部２４Ｌの凹部２４ｃ1を第２耳栓９０Ｌの振動源ユニット１２０の凸部１２２に、それぞれ嵌合させて使用する。このとき、振動源ユニット１２０内の磁性振動体１２１と接触部２４Ｒ、２４Ｌ内の磁石１３２及びコイル１３３とが互いに最も接近して対向した状態になっている。この状態は、コイル１３３により発生する磁場が磁性振動体１２１に最も効果的に作用する状態であるが、凹部２４ｃ1と凸部１２２との嵌合が若干不完全な状態になっていたとしても、コイル１３３により発生する磁場は磁性振動体１２１に十分効果的に作用し得る。磁性振動体１２１とコイル１３３との間には、凹部２４ｃ1の底板部と凸部１２２の端板部が存在しているが、これらはいずれも誘電体であるので、磁場には影響を与えない。【００８９】
この音響装置４は、外部機器から無線送信されてくる信号を、無線通信部１５内の受信回路が受信し、その信号を信号発生回路が処理することにより音声信号（電気信号）を発生する。この音声信号（電気信号）が信号線を通して左右の接触部２４Ｒ、２４Ｌ内の第１磁場発生源１３１Ｒ及び第２磁場発生源１３１Ｌに入力される。両磁場発生源１３１Ｒ、１３１Ｌは、入力された音声信号（電気信号）に応じて、変動する磁場を発生させる。この変動する磁場の作用により、振動源ユニット１２０内の磁性振動体１２１が振動する。磁性振動体１２１が振動することにより、音（空気を媒体とする音）が発生する。そして、この音（空気を媒体とする音）が振動源ユニット１２０の貫通孔１２３ｂ及び耳栓体１１０の貫通孔１１１を通って使用者の外耳道内Ｈ(R,L)内に放音され、気導音として鼓膜に伝達される。一方、磁性振動体１２１の振動は、ケーシング１２３及び耳栓体１１０を介して外耳道Ｈ(R,L)の皮膚等にも伝わり、皮膚伝導音あるいは骨導音として鼓膜などの聴覚器官に伝達される。このように、この形態例では、磁性振動体１２１の振動が、空気を媒体とする音のみならず、皮膚等を媒体とする音としても聴覚器官に伝達され、音声として聴き取られる。空気を媒体とする音と皮膚等を媒体とする音の割合（音量比）は、ケーシング１２３及び耳栓体１１０の材質や寸法等を適宜選定することにより、調整可能である。【００９０】
磁場発生源１３１Ｒ、１３１Ｌのコイル１３３により発生する磁場は、振動源ユニット１２０と接触部２４Ｒ、２４Ｌとが互いに嵌合している時だけ、磁性振動体１２１に作用し得る。したがって、磁場発生源１３１Ｒ、１３１Ｌに音声信号が入力されている時でも、振動源ユニット１２０と接触部２４Ｒ、２４Ｌとが互いに嵌合していない状態では、磁性振動体１２１には全く音響振動が発生しない。接触部２４Ｒ、２４Ｌは、そもそも振動体（機械振動要素）を有していないので、全く音を発しない。【００９１】
４−１−４．効果
この音響装置４は、接触部２４Ｒ、２４Ｌの凹部２４ｃ1を耳栓９０Ｒ、９０Ｌの振動源ユニット１２０の凸部１２２に嵌合させた状態で使用され、接触部２４Ｒ、２４Ｌ内の
磁場発生源１３１Ｒ、１３１Ｌから発生する磁場で振動源ユニット１２０内の磁性振動体１２１を振動させることにより、入力信号に応じた音を発生するように構成されているので、常に良好な聴取性能を発揮し得る。つまり、図３６に示すように、凹部２４ｃ1と凸部１２２とが互いに完全に嵌合しているときでも、つまり最適な嵌合状態においても、磁性振動体１２１と磁場発生源１３１Ｒ、１３１Ｌは空間的に互いに非接触の状態になっていて、この状態で磁場発生源１３１Ｒから磁性振動体１２１に磁場を作用させるように構成されているので、凹部２４ｃ1と凸部１２２との嵌合が若干不完全な状態になったとしても、磁場発生源１３１Ｒ、１３１Ｌから発生する磁場で磁性振動体１２１を振動させて、良好な聴取性能を発揮し得る。【００９２】
この音響装置４は、外耳道Ｈ(R,L)を水密に閉塞し得る耳栓９０Ｒ、９０Ｌを備え、装着体１４が水密構造になっているので、水に濡れる環境でも使用可能である。耳栓９０Ｒ、９０Ｌと装着体１４が互いに完全に別体として構成されているため、この音響装置４の使用中に装着体１４が頭部から外れた場合でも、それが原因で耳栓９０Ｒ、９０Ｌが外耳道Ｈ(R,L)から外れることはないので安全である。すなわち、外耳道Ｈ(R,L)に装着されている耳栓９０Ｒ、９０Ｌは、装着体１４が外れても、その本来の機能（遮音機能、防水機能）を発揮し続ける。したがって、この音響装置４は、水泳やサーフィンの際にも使用することができる。【００９３】
この音響装置４は、装着体１４を装着していない時（凹部２４ｃ1と凸部１２２とが互いに嵌合していない時）には、全く音を発生しないので、使用中に装着体１４が外れても、周囲の人に音の発生による不快感を与えることがない。したがって、この音響装置４は、旅客機や旅客列車等、公共の乗り物内での使用に極めて適している。【００９４】
４−２．その他の例
４−２−１．構成
図３８及び図３９は本発明の別の形態例を示す図である。
図３８及び図３９に示す音響装置４は、上記の特徴１、２、１５、１６、１７、１８、１８-2、１９、１９-2、２０、２０-2、２５、及び２７に加えて、更に下記の特徴２２を有している。
特徴２２：凸部１２２の外周部と凹部２４ｃ1の内周部が互いに係脱自在に係合する。【００９５】
４−２−２．構成の補足説明
振動源ユニット１２０のケーシング１２３の凸部１２２の側壁の外周部には、周方向に沿って環状の係止突起１２２ａが形成されている。この係止突起１２２ａの断面形状は半円形状である。
振動源ユニット１２０の凹部２４ｃ1を形成している側壁（円筒状の部分）の先端部分には、周方向に等間隔に複数（この例では４つ）の係止部（係止爪）２４ｃが形成されている。各係止部２４ｃの内側に、ケーシング１２３の突起１２２ａと係合する係止溝２４ｄが形成されている。
振動源ユニット１２０のケーシング１２３の凸部１２２と接触部２４Ｒ、２４Ｌの凹部２４ｃ1とが完全に嵌合したときに、係止突起１２２ａと係止溝２４ｄが係合する。係止突起１２２ａと係止溝２４ｄとが係合する前後で、抵抗感（使用者の指に伝わる力）が変化し、係合した瞬間、音（「カチッ」という音）が発生する。【００９６】
４−２−３．作用・効果
使用者は、装着体１４が正しく装着されたこと、すなわち耳栓９０Ｒ、９０Ｌの振動源ユニット１２０と装着体１４の接触部２４Ｒ、２４Ｌとの嵌合状態が完全になったことを、係止突起１２２ａと係止溝２４ｄとが係合した時の指の感覚や音により知ることができる。【００９７】
４−３．その他の例
図４０は本発明の別の形態例を示す図である。
図４０（ａ）、（ｂ）、（ｅ）、（ｆ）の耳栓９０Ｒ、９０Ｌの耳栓体１１０の中心部には、円筒状の音響孔１１１-2が形成されている。音響孔１１１-2は、耳栓体１１０の反挿入側端面から挿入側端面の近傍まで延びている。音響孔１１１-2は、ケーシング１２３の中空部１２２ａと連通している。
図４０（ｃ）、（ｄ）の耳栓９０Ｒ、９０Ｌの振動源ユニット１２０は、耳栓体１１０内に同軸状に挿入される音響管部１２３ｄを有している。ケーシング１２３の固着部１２３ｃは、凸部１２２の開口端の外側に形成された円環状のフランジ部のみからなる。磁性振動体１２１は、その片面全体が耳栓体１１０の反挿入側端面に対面している。耳栓体１１０は、充実構造になっている。すなわち、耳栓体１１０には、貫通孔１１１も音響孔１１１-2も形成されていない。
図４０（ｅ）、（ｆ）の耳栓９０Ｒ、９０Ｌは、下記の特徴２４を有している。
特徴２４：振動源ユニット１２０は、耳栓体１１０内に同軸状に挿入される音響管部１２３ｄを有する。
音響管部１２３ｄは、ケーシング１２３の固着部１２３ｃの中心部から突出しており、固着部１２３ｃの貫通孔１２３ｂを通してケーシング１２３の中空部１２２ａと連通している。音響管部１２３ｄは円筒状に形成されている。音響管部１２３ｄは、音響孔１１１-2に気密に挿入されている。【００９８】
４−４．その他の例
４−４−１．構成
図４１及び図４１は本発明の別の形態例を示す図である。
図４１及び図４２に示す音響装置４は、上記の特徴１、２、１５、１６、１７、１８、１８-2、１９、１９-2、２０、２０-2、２４、２５、及び２７に加えて、更に下記の特徴２２、２３を有している。
特徴２２：凸部１２２の外周部と凹部２４ｃ1の内周部が互いに係脱自在に係合する。
特徴２３：両接触部２４Ｒ、２４Ｌは、振動源ユニット１２０の露出部を収容するとともに耳栓体１１０の端面に全周に亘って接触する。
４−３−２．構成の補足説明
ケーシング１２３は、その凸部１２２と同径の円板状の固着部１２３ｅを有し、この固着部１２３ｅが耳栓体１１０の反挿入側端面に接着により固定されている。すなわち、この耳栓９０Ｒ、９０Ｌのケーシング１２３の固着部１２３ｅは、凸部１２２の開口部を閉塞する部分のみからなる。固着部１２３ｅの中心部には貫通孔１２３ｂが形成されている。
振動源ユニット１２０のケーシング１２３の凸部１２２の側壁の外周部には、周方向に沿って環状の係止突起１２２ａが形成されている。この係止突起１２２ａの断面形状は半円形状である。
振動源ユニット１２０の凹部２４ｃ1を形成している側壁（円筒状の部分）の内側には周方向に沿って環状の係止溝２４ｅが形成されている。
振動源ユニット１２０のケーシング１２３の凸部１２２と接触部２４Ｒ、２４Ｌの凹部２４ｃ1とが完全に嵌合したときに、接触部２４Ｒ、２４Ｌの先端（円筒状の部分の端面）が耳栓体１１０の反挿入側端面に全周に亘って接触し、且つ、係止突起１２２ａと係止溝２４ｅが係合する。係止突起１２２ａと係止溝２４ｅとが係合する前後で、抵抗感（使用者の指に伝わる力）が変化し、係合した瞬間、音（「カチッ」という音）が発生する。【００９９】
４−４−３．作用・効果
使用者は、装着体１４が正しく装着されたこと、すなわち耳栓９０Ｒ、９０Ｌの振動源ユニット１２０と装着体１４の接触部２４Ｒ、２４Ｌとの嵌合状態が完全になったことを
、係止突起１２２ａと係止溝２４ｄとが係合した時の指の感覚や音により知ることができる。
また、接触部２４Ｒ、２４Ｌの先端が耳栓体１１０の反挿入側端面に全周に亘って接触するため、使用時における音漏れを防止できる。【０１００】
４−５．その他の例
４−５−１．構成
図４３〜図４６は本発明の別の形態例を示す図である。
図４３〜図４６に示す音響装置４は、図３４〜図３７の形態例の特徴１、２、１５、１６、１７、１８、１８-2、１９、１９-2、２０、２０-2、２４、２５、及び２７のうち、１９-2及び２０-2に代えて下記の特徴１９-3、２０-3、２１を有している。
特徴１９-3：凸部１２２は、棒状の凸部である。
特徴２０-3：磁性振動体１２１は、棒状の磁性振動体である。磁性振動体１２１は、凸部１２２と同軸状に設けられている。
特徴２１：両磁場発生源１３１Ｒ及び第２磁場発生源１３１Ｌは、凹部２４ｃ１を包囲するようにして設けられている。
４−５−２．構成の補足説明
耳栓体１１０は、円柱状の充実構造の耳栓体である。
振動源ユニット１２０のケーシング１４３は、耳栓体１１０の反挿入側端面に固着されている。ケーシング１４３は、耳栓体１１０の外径と同径の円板状の固着部１４３ａを有し、この固着部１４３ａが耳栓体１１０の反挿入側端面に接着により固定されている。
凸部１４２は、固着部１４３ａと同心状に一体成型されている。凸部１４２は中空構造になっている。
磁性振動体１４１は、凸部１４２の中空部１４２ａに設けられている。磁性振動体１４１は、保持体１６０を介して、凸部１４２の側壁に保持されている。
保持体１６０は、その全体が柔らかいゴム（エラストマ）状の誘電体からなる部材であり、磁性振動体１４１を弾力的に支えている。保持体１６０は、凸部１４２の側壁内面に密着して固定される円筒体部１６１と、円筒体部１６１の両端部を閉塞している一対の端板部１６２とを有している。各端板部１６２の中心部には磁性振動体１４１の端部を支承する支承部１６３が形成されている。すなわち、この保持体１６０は、その両端板部１６２で磁性振動体１４１の両端部を支承することにより、磁性振動体１４１を振動可能に保持している。
両接触部２４Ｒ、２４Ｌの凹部２４ｃ1の内径寸法は、振動源ユニット１２０の凸部１４２の外径寸法よりも若干大きく選定されている。また、凹部２４ｃ1の深さは凸部１４２の高さよりも小さく選定されている。
第1磁場発生源１５１Ｒ及び第２磁場発生源１５１Ｌは、コイル１５３を有している。コイル１５３は、凹部２４ｃ1の側壁２４ｄの外側に巻回され固定されている。コイル１５の巻線の両端には、無線通信部１５（図３４）内の信号発生回路から延びる信号線が接続されている。【０１０１】
第1磁場発生源１５１Ｒ及び第２磁場発生源１５１Ｌは、無線通信部１５内の信号発生回路から信号線を介して送信されてくる音声信号（電気信号）を磁場の変動（振動）に変換する。すなわち、コイル１５３に音声信号（電気信号）を入力することにより、コイル１５３内に変動する磁場を発生させる。
４−５−３．作用
この音響装置４は、第１耳栓９０Ｒを使用者の一方（右）の外耳道Ｈ(R)に、第２耳栓９０Ｌをその使用者のもう一方（左）の外耳道Ｈ(L)に、それぞれ装着した状態で、第１接触部２４Ｒの凹部２４ｃ1を第１耳栓９０Ｒの振動源ユニット１２０の凸部１４２に、第２接触部２４Ｌの凹部２４ｃ1を第２耳栓９０Ｌの振動源ユニット１２０の凸部１４２に、それぞれ嵌合させて使用する。このとき、振動源ユニット１２０内の磁性振動体１４
１が接触部２４Ｒ、２４Ｌ内のコイル１５３内に挿入された状態になる。凸部１４２が凹部２４ｃ1内に完全に挿入された状態が、コイル１５３により発生する磁場が磁性振動体１５１に最も効果的に作用する状態であるが、凹部２４ｃ1と凸部１４２との嵌合が若干不完全な状態になっていたとしても、コイル１５３により発生する磁場は磁性振動体１４１に十分効果的に作用し得る。磁性振動体１４１とコイル１５３との間には、凹部２４ｃ1の側壁部と凸部１４２の側壁部が存在しているが、これらはいずれも誘電体であるので、磁場には影響を与えない。【０１０２】
この音響装置４は、外部機器から無線送信されてくる信号を、無線通信部１５内の受信回路が受信し、その信号を信号発生回路が処理することにより音声信号（電気信号）を発生する。この音声信号（電気信号）が信号線を通して左右の接触部２４Ｒ、２４Ｌ内の第１磁場発生源１５１Ｒ及び第２磁場発生源１５１Ｌに入力される。両磁場発生源１５１Ｒ、１５１Ｌは、入力された音声信号（電気信号）に応じて、変動する磁場を発生させる。この変動する磁場の作用により、振動源ユニット１２０内の磁性振動体１４１が振動する。磁性振動体１４１の振動は、ケーシング１４３及び耳栓体１１０を介して外耳道Ｈ(R,L)の皮膚等に伝わり、皮膚伝導音あるいは骨導音として鼓膜などの聴覚器官に伝達され、音声として聴き取られる。【０１０３】
磁場発生源１５１Ｒ、１５１Ｌのコイル１５３により発生する磁場は、振動源ユニット１２０と接触部２４Ｒ、２４Ｌとが互いに嵌合している時だけ、磁性振動体１４１に作用し得る。したがって、磁場発生源１５１Ｒ、１５１Ｌに音声信号が入力されている時でも、振動源ユニット１２０と接触部２４Ｒ、２４Ｌとが互いに嵌合していない状態では、磁性振動体１４１には全く音響振動が発生しない。接触部２４Ｒ、２４Ｌは、そもそも振動体（機械振動要素）を有していないので、全く音を発しない。【０１０４】
４−５−４．効果
この音響装置４は、接触部２４Ｒ、２４Ｌの凹部２４ｃ1を耳栓９０Ｒ、９０Ｌの振動源ユニット１２０の凸部１４２に嵌合させた状態で使用され、接触部２４Ｒ、２４Ｌ内の磁場発生源１５１Ｒ、１５１Ｌから発生する磁場で振動源ユニット１２０内の磁性振動体１４１を振動させることにより、入力信号に応じた音を発生するように構成されているので、常に良好な聴取性能を発揮し得る。つまり、図４５に示すように、凹部２４ｃ1と凸部１４２とが互いに完全に嵌合しているときでも、つまり最適な嵌合状態においても、磁性振動体１４１と磁場発生源１５１Ｒ、１５１Ｌは空間的に互いに非接触の状態になっていて、この状態で磁場発生源１５１Ｒ、１５１Ｌから磁性振動体１４１に磁場を作用させるように構成されているので、凹部２４ｃ1と凸部１４２との嵌合が若干不完全な状態になったとしても、磁場発生源１５１Ｒ、１５１Ｌから発生する磁場で磁性振動体１４１を振動させて、良好な聴取性能を発揮し得る。【０１０５】
この音響装置４は、外耳道Ｈ(R,L)を水密に閉塞し得る耳栓９０Ｒ、９０Ｌを備え、装着体１４が水密構造になっているので、水に濡れる環境でも使用可能である。耳栓９０Ｒ、９０Ｌと装着体１４が互いに完全に別体として構成されているため、この音響装置４の使用中に装着体１４が頭部から外れた場合でも、それが原因で耳栓９０Ｒ、９０Ｌが外耳道Ｈ(R,L)から外れることはないので安全である。すなわち、外耳道Ｈ(R,L)に装着されている耳栓９０Ｒ、９０Ｌは、装着体１４が外れても、その本来の機能（遮音機能、防水機能）を発揮し続ける。したがって、この音響装置４は、水泳やサーフィンの際にも使用することができる。【０１０６】
この音響装置４は、装着体１４を装着していない時（凹部２４ｃ1と凸部１２２とが互いに嵌合していない時）には、全く音を発生しないので、使用中に装着体１４が外れても、周囲の人に音の発生による不快感を与えることがない。したがって、この音響装置４は
、旅客機や旅客列車等、公共の乗り物内での使用に極めて適している。【０１０７】
５．第５形態例
第１〜第３形態例の音響装置１〜３において、音響振動発生源２５Ｒ、２５Ｌとして、公知の骨伝導スピーカ（固体振動発生器）を使用する。
【産業上の利用可能性】
【０１０８】
本発明の音響装置は、補聴器に利用できる。すなわち、本発明の音響装置の装着体に、マイクロホン、当該マイクロホンの出力信号に応じて音響振動発生源を駆動する駆動回路（増幅回路、フィルタ回路などを含む）、電池、ボリュームコントローラ（出力音量調節器）、などを付加することにより、小型・軽量で、装着感が極めて良好であり、高騒音下においても極めて高い聴取性能を発揮する補聴器を実現できる。
【図面の簡単な説明】
【０１０９】
【図１】（ａ）は装着体の正面図  （ｂ）は装着体の側面図
【図２】（ａ）は耳栓の非装着状態の断面図、（ｂ）は耳栓の装着状態の断面図
【図３】音響装置の使用状態における要部断面図  （ａ）は左側要部  （ｂ）は右側要部
【図４】音響装置の使用状態を示す側面図
【図５】装着体の正面図
【図６】装着体の内側面図
【図７】装着体の外側面図
【図８】（ａ）は接触部の要部断面図  （ｂ）は接触部の要部正面図
【図９】（ａ）〜（ｆ）は耳栓の断面図
【図１０】音響装置の部分破断正面図
【図１１】（ａ）は耳栓の側面図  （ｂ）は耳栓体の側面図  （ｃ）は振動体の側面図
【図１２】音響装置の使用状態を示す側面図
【図１３】装着体の正面図
【図１４】装着体の要部断面図  （ａ）は右側要部  （ｂ）は左側要部
【図１５】装着体の部分破断正面図
【図１６】（ａ）は耳栓の側面図  （ｂ）は耳栓体の側面図  （ｃ）は振動体の側面図
【図１７】音響装置の要部正面図  （ａ）は右側要部  （ｂ）は左側要部
【図１８】（ａ）、（ｂ）は接触部の断面図
【図１９】（ａ）、（ｂ）は接触部の断面図
【図２０】（ａ）は耳栓の側面図  （ｂ）は耳栓体の側面図  （ｃ）は振動体の側面図
【図２１】（ａ）は耳栓の側面図  （ｂ）は耳栓体の側面図  （ｃ）は振動体の側面図
【図２２】（ａ）は装着体の正面図  （ｂ）は装着体の側面図
【図２３】（ａ）は耳栓の非装着状態の断面図、（ｂ）は耳栓の装着状態の断面図
【図２４】音響装置の使用状態における要部断面図  （ａ）は左側要部  （ｂ）は右側要部
【図２５】突起部の断面図
【図２６】（ａ）〜（ｃ）は突起部の断面図
【図２７】（ａ）、（ｂ）は耳栓の断面図
【図２８】装着体の正面図
【図２９】（ａ）は装着体の正面図  （ｂ）は装着体の側面図
【図３０】耳栓の側面図
【図３１】音響装置の使用状態における要部断面図  （ａ）は左側要部  （ｂ）は右側要部
【図３２】（ａ）、（ｂ）は接触部の断面図  （ｃ）は音響装置の要部側面図
【図３３】（ａ）は接触部の断面図  （ｂ）は音響装置の要部側面図
【図３４】（ａ）は音響装置の使用状態を示す側面図  （ｂ）は装着体の正面図
【図３５】（ａ）は耳栓の非装着状態の断面図  （ｂ）は耳栓の装着状態の断面図  （ｃ）は接触部の断面図
【図３６】音響装置の使用状態における要部断面図  （ａ）は右側要部  （ｂ）は左側要部
【図３７】（ａ）は振動源ユニットの正面図  （ｂ）は耳栓体の断面図  （ｃ）は接触部の正面図
【図３８】音響装置の使用状態における要部断面図  （ａ）は耳栓と装着体が嵌合していない状態  （ｂ）は嵌合している状態
【図３９】（ａ）は振動源ユニットの正面図  （ｂ）は耳栓体の断面図  （ｃ）は接触部の正面図
【図４０】（ａ）〜（ｆ）は耳栓の断面図
【図４１】音響装置の使用状態における要部断面図  （ａ）は耳栓と装着体が嵌合していない状態  （ｂ）は嵌合している状態
【図４２】音響装置の使用状態における要部断面図  （ａ）は耳栓と装着体が嵌合していない状態  （ｂ）は嵌合している状態
【図４３】（ａ）は耳栓の非装着状態の断面図  （ｂ）は耳栓の装着状態の断面図  （ｃ）は接触部の断面図
【図４４】（ａ）は耳栓の要部側面図  （ｂ）は振動源ユニットの正面図  （ｃ）は接触部の側面図  （ｄ）は接触部の正面図
【図４５】音響装置の使用状態における要部断面図  （ａ）は左側要部  （ｂ）は右側要部
【図４６】（ａ）は振動源ユニットの要部側面図  （ｂ）は磁性振動体を保持している保持体の側面図  （ｃ）は（ｂ）のＣ−Ｃ断面図  （ｄ）は（ｂ）の保持体を矢印Ｄの向きからみた図
【符号の説明】
【０１１０】
１１  装着体
１１Ａ  ヘッドバンド部
１１Ｂ  フック部
１１Ｃ  アーム部
１１-1  第１耳掛体
１１-2  第２耳掛体
１２  装着体
１３  装着体
１４  装着体
２１Ｒ  第１耳栓
２１Ｌ  第２耳栓
２２  耳栓体
２２ｂ  反挿入側端面
２３  振動体
２３ａ  挿入側端部
２３ｂ  反挿入側端部
２３ｃ  棒状部
２４ａ  接触面
２４ｂ  凹部
２４ｃ  嵌合部
２４ｃ1  凹部
２４ｅ  係止溝
２４Ｒ  第１接触部
２４Ｌ  第２接触部
２５Ｒ  第1音響振動発生源
２５Ｌ  第２音響振動発生源
２６  拡径部
２７  嵌合部
２９  弾性体部
３０  耳栓
３０ｂ  反挿入側端面
３１  突起部
３１ａ  突端部
３３  拡径部
３４  耳栓体
３４ａ  挿入側端面
３４ｂ  反挿入側端面
３５  振動体
３６  棒状部
３６ａ  端部
３７  板状部
３７ａ  板面
５６  ムービングコイル
５９  ハンマーチューブ
６１  突起部
７０  耳栓
７１  連結穴
７２  フランジ部
７２  フランジ部
７３  ハンドル部
７３ａ  端面
７４  嵌合部
９０Ｒ  第１耳栓
９０Ｌ  第２耳栓
１１０  耳栓体
１２０  振動源ユニット
１２１  磁性振動体
１１１  貫通孔
１２２  凸部
１２２  凸部
１２２ａ  係止突起
１２３  ケーシング
１２３ｅ  固着部
１３１Ｒ  第1磁場発生源
１３１Ｌ  第２磁場発生源
１４２  凸部
１４１  磁性振動体
１４２ａ  中空部
１４３  ケーシング
１４３ａ  固着部
１６０  保持体
Ｈ(R)  外耳道
【図１】
2009107578.tif 000003
【図２】
2009107578.tif 000004
【図３】
2009107578.tif 000005
【図４】
2009107578.tif 000006
【図５】
2009107578.tif 000007
【図６】
2009107578.tif 000008
【図７】
2009107578.tif 000009
【図８】
2009107578.tif 000010
【図９】
2009107578.tif 000011
【図１０】
2009107578.tif 000012
【図１１】
2009107578.tif 000013
【図１２】
2009107578.tif 000014
【図１３】
2009107578.tif 000015
【図１４】
2009107578.tif 000016
【図１５】
2009107578.tif 000017
【図１６】
2009107578.tif 000018
【図１７】
2009107578.tif 000019
【図１８】
2009107578.tif 000020
【図１９】
2009107578.tif 000021
【図２０】
2009107578.tif 000022
【図２１】
2009107578.tif 000023
【図２２】
2009107578.tif 000024
【図２３】
2009107578.tif 000025
【図２４】
2009107578.tif 000026
【図２５】
2009107578.tif 000027
【図２６】
2009107578.tif 000028
【図２７】
2009107578.tif 000029
【図２８】
2009107578.tif 000030
【図２９】
2009107578.tif 000031
【図３０】
2009107578.tif 000032
【図３１】
2009107578.tif 000033
【図３２】
2009107578.tif 000034
【図３３】
2009107578.tif 000035
【図３４】
2009107578.tif 000036
【図３５】
2009107578.tif 000037
【図３６】
2009107578.tif 000038
【図３７】
2009107578.tif 000039
【図３８】
2009107578.tif 000040
【図３９】
2009107578.tif 000041
【図４０】
2009107578.tif 000042
【図４１】
2009107578.tif 000043
【図４２】
2009107578.tif 000044
【図４３】
2009107578.tif 000045
【図４４】
2009107578.tif 000046
【図４５】
2009107578.tif 000047
【図４６】
2009107578.tif 000048
【国際調査報告】
2009107578.tif 000049
2009107578.tif 000050
2009107578.tif 000051
2009107578.tif 000052
2009107578.tif 000053
2009107578.tif 000054